(57)【特許請求の範囲】
【請求項１】
基地局に関する複数のパラメータを備えるシステム情報ブロックを生成することと、ここにおいて、前記複数のパラメータが、少なくとも１つのリッスンビフォアトーク（ＬＢＴ）パラメータと、少なくとも１つのアクセスパラメータとを備える、
日和見的なシステム情報ブロック送信に関連付けられた間隔に対応する複数のサブフレームにおいて免許不要無線周波数スペクトル帯域のコンポーネントキャリアについて複数のクリアチャネルアセスメント（ＣＣＡ）を実施することと、
前記複数のＣＣＡのうちの対応するＣＣＡが成功した前記免許不要無線周波数スペクトル帯域の前記コンポーネントキャリアを介して前記複数のサブフレームのうちの少なくとも１つのサブフレームの間に前記システム情報ブロックを送信することと
を備える、ワイヤレス通信のための方法。
【請求項２】
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介してさらに送信される、請求項１に記載の方法。
【請求項３】
前記ＣＥＴサブフレームが周期的であり、前記システム情報ブロックを送信することが、
前記ＣＥＴの各インスタンスにおいて前記システム情報ブロックを送信すること
を備える、請求項２に記載の方法。
【請求項４】
前記少なくとも１つのＬＢＴパラメータを動的に修正することと、
次のＣＥＴサブフレームにおいて前記システム情報ブロックの更新バージョンを送信することと
をさらに備える、請求項２に記載の方法。
【請求項５】
様々な時間間隔で前記システム情報ブロックの様々な冗長バージョンを送信することをさらに備える、請求項１に記載の方法。
【請求項６】
前記少なくとも１つのアクセスパラメータが、物理セル識別子（ＰＩＤ）、事業者識別子、およびセルグローバル識別子（ＣＧＩ）から構成されるグループから選択される、請求項１に記載の方法。
【請求項７】
前記少なくとも１つのＬＢＴパラメータが、拡張ＣＣＡ（ＥＣＣＡ）カウンタパラメータ、ＣＣＡエネルギーしきい値、および基地局再同期用のガード期間から構成されるグループから選択される、請求項１に記載の方法。
【請求項８】
前記基地局におけるＥＣＣＡ手順が、ユニキャスト送信およびブロードキャスト送信について同一である、請求項７に記載の方法。
【請求項９】
前記少なくとも１つのアクセスパラメータが、システムフレーム番号（ＳＦＮ）を備える、請求項１に記載の方法。
【請求項１０】
前記システム情報ブロックが、前記免許不要無線周波数スペクトル帯域に関連付けられた前記コンポーネントキャリアの全帯域幅に及ぶ、請求項１に記載の方法。
【請求項１１】
免許不要無線周波数スペクトル帯域のコンポーネントキャリアを介して日和見的なシステム情報ブロック送信に関連付けられた間隔に対応する複数のサブフレームのうちの少なくとも１つのサブフレームの間にシステム情報ブロックを受信すること
を備え、
前記システム情報ブロックが、基地局に関する複数のパラメータを備え、前記複数のパラメータが、少なくとも１つのリッスンビフォアトーク（ＬＢＴ）パラメータと、少なくとも１つのアクセスパラメータとを備える、
ワイヤレス通信のための方法。
【請求項１２】
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して受信される、請求項１１に記載の方法。
【請求項１３】
前記システム情報ブロック内で受信された前記少なくとも１つのＬＢＴパラメータに基づいて、ＬＢＴ動作を調整すること
をさらに備える、請求項１２に記載の方法。
【請求項１４】
様々な時間間隔で前記システム情報ブロックの様々な冗長バージョンを受信することをさらに備える、請求項１３に記載の方法。
【請求項１５】
前記少なくとも１つのアクセスパラメータが、物理セル識別子（ＰＩＤ）、事業者識別子、およびセルグローバル識別子（ＣＧＩ）から構成されるグループから選択される、請求項１１に記載の方法。
【請求項１６】
前記少なくとも１つのＬＢＴパラメータが、拡張ＣＣＡ（ＥＣＣＡ）カウンタパラメータ、ＣＣＡエネルギーしきい値、および基地局再同期用のガード期間から構成されるグループから選択される、請求項１１に記載の方法。
【請求項１７】
前記少なくとも１つのアクセスパラメータが、システムフレーム番号（ＳＦＮ）を備える、請求項１１に記載の方法。
【請求項１８】
前記システム情報ブロックが、前記免許不要無線周波数スペクトル帯域に関連付けられた前記コンポーネントキャリアの全帯域幅に及ぶ、請求項１１に記載の方法。
【請求項１９】
プロセッサと、
前記プロセッサと結合されたメモリと
を備え、前記プロセッサが、
基地局に関する複数のパラメータを備えるシステム情報ブロックを生成することと、ここにおいて、前記複数のパラメータが、少なくとも１つのリッスンビフォアトーク（ＬＢＴ）パラメータと、少なくとも１つのアクセスパラメータとを備える、
日和見的なシステム情報ブロック送信に関連付けられた間隔に対応する複数のサブフレームにおいて免許不要無線周波数スペクトル帯域のコンポーネントキャリアについて複数のクリアチャネルアセスメント（ＣＣＡ）を実施することと、
前記複数のＣＣＡの対応するＣＣＡが成功した前記免許不要無線周波数スペクトル帯域の前記コンポーネントキャリアを介して前記複数のサブフレームのうちの少なくとも１つのサブフレームの間に前記システム情報ブロックを送信することと
を行うように構成される、ワイヤレス通信のための装置。
【請求項２０】
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介してさらに送信される、請求項１９に記載の装置。
【請求項２１】
前記ＣＥＴサブフレームが周期的であり、前記システム情報ブロックを送信するように構成された前記プロセッサが、
前記ＣＥＴの各インスタンスにおいて前記システム情報ブロックを送信すること
を行うように構成された前記プロセッサを備える、請求項２０に記載の装置。
【請求項２２】
前記プロセッサが、
前記少なくとも１つのＬＢＴパラメータを動的に修正することと、
次のＣＥＴサブフレームにおいて前記システム情報ブロックの更新バージョンを送信することと
を行うように構成される、請求項２０に記載の装置。
【請求項２３】
前記少なくともアクセスパラメータが、物理セル識別子（ＰＩＤ）、事業者識別子、およびセルグローバル識別子（ＣＧＩ）から構成されるグループから選択される、請求項１９に記載の装置。
【請求項２４】
前記少なくとも１つのＬＢＴパラメータが、拡張クリアチャネルアセスメント（ＥＣＣＡ）カウンタパラメータ、ＣＣＡエネルギーしきい値、および基地局再同期用のガード期間から構成されるグループから選択される、請求項１９に記載の装置。
【請求項２５】
プロセッサと、
前記プロセッサと結合されたメモリと
を備え、前記プロセッサが、
免許不要無線周波数スペクトル帯域のコンポーネントキャリアを介して日和見的なシステム情報ブロック送信に関連付けられた間隔に対応する複数のサブフレームのうちの少なくとも１つのサブフレームの間にシステム情報ブロックを受信すること
を行うように構成され、
前記システム情報ブロックが、基地局に関する複数のパラメータを備え、前記複数のパラメータが、少なくとも１つのリッスンビフォアトーク（ＬＢＴ）パラメータと、少なくとも１つのアクセスパラメータとを備える、
ワイヤレス通信のための装置。
【請求項２６】
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して受信される、請求項２５に記載の装置。
【請求項２７】
前記プロセッサが、
前記システム情報ブロック内で受信された前記少なくとも１つのＬＢＴパラメータに基づいて、ＬＢＴ動作を調整すること
を行うように構成される、請求項２６に記載の装置。
【請求項２８】
前記プロセッサが、
様々な時間間隔で前記システム情報ブロックの様々な冗長バージョンを受信すること
を行うように構成される、請求項２７に記載の装置。
【発明の詳細な説明】
【技術分野】
【０００１】
相互参照
[0001]本特許出願は、各々が本出願の譲受人に譲渡された、２０１５年６月１１日に出願された「Ｗｉｒｅｌｅｓｓ  Ｃｏｍｍｕｎｉｃａｔｉｏｎｓ  Ｏｖｅｒ  Ｕｎｌｉｃｅｎｓｅｄ  Ｒａｄｉｏ  Ｆｒｅｑｕｅｎｃｙ  Ｓｐｅｃｔｒｕｍ」と題する、Ｍａｌｌａｄｉらによる米国特許出願第１４／７３６，８６７号、および２０１４年６月１３日に出願された「Ｗｉｒｅｌｅｓｓ  Ｃｏｍｍｕｎｉｃａｔｉｏｎｓ  Ｏｖｅｒ  Ｕｎｌｉｃｅｎｓｅｄ  Ｒａｄｉｏ  Ｆｒｅｑｕｅｎｃｙ  Ｓｐｅｃｔｒｕｍ」と題する、Ｍａｌｌａｄｉらによる米国仮特許出願第６２／０１２，２３１号の優先権を主張する。
【０００２】
[0002]本開示は、一般に、ワイヤレス通信システムに関し、より詳細には、少なくとも部分的に免許不要（unlicensed）無線周波数スペクトル帯域を使用するワイヤレス通信に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]例として、ワイヤレス多元接続通信システムは、各々が複数のユーザ機器（ＵＥ）のための通信を同時にサポートする、いくつかの基地局を含む場合がある。基地局は、（たとえば、基地局からＵＥへの送信のための）ダウンリンクチャネル、および（たとえば、ＵＥから基地局への送信のための）アップリンクチャネル上で、ＵＥと通信することができる。
【０００５】
[0005]いくつかの通信モードは、セルラーネットワークの様々な無線周波数スペクトル帯域（たとえば、認可無線周波数スペクトル帯域および／または免許不要無線周波数スペクトル帯域）を介するＵＥとの通信を可能にすることができる。認可無線周波数スペクトル帯域を使用するセルラーネットワーク内のデータトラフィックの増加とともに、少なくとも一部のデータトラフィックを免許不要無線周波数スペクトル帯域にオフローディングすることは、セルラー事業者にデータ送信容量を拡張するための機会を提供することができる。免許不要無線周波数スペクトル帯域にアクセスし、免許不要無線周波数スペクトル帯域を介して通信するより前に、デバイスは、免許不要無線周波数スペクトル帯域へのアクセスを競うために、リッスンビフォアトーク（ＬＢＴ）手順を実施することができる。ＬＢＴ手順は、免許不要無線周波数スペクトル帯域のチャネルが利用可能であるかどうかを決定するために、クリアチャネルアセスメント（ＣＣＡ）を実施することを含む場合がある。（たとえば、別のデバイスが免許不要無線周波数スペクトル帯域のチャネルをすでに使用しているので）免許不要無線周波数スペクトル帯域のチャネルが利用可能でないと決定された場合、後で再びチャネルを求めてＣＣＡが実施される場合がある。チャネルが利用可能である場合、デバイスはそのチャネルを使用してデータの送信を開始することができる。
【発明の概要】
【０００６】
[0006]本開示は、たとえば、免許不要無線周波数スペクトル帯域を介してシステム情報ブロックを送信および受信するための技法と、拡張クリアチャネルアセスメント（ＥＣＣＡ）を実施することにより免許不要無線周波数スペクトル帯域にアクセスするための技法と、免許不要無線周波数スペクトル帯域を介して同期信号と基準信号とを送信および受信するための技法と、免許不要無線周波数スペクトル帯域を介してダウンリンク送信の開始時間を識別するための技法と、免許不要無線周波数スペクトル帯域を介してクリアチャネルアセスメント（ＣＣＡ）除外送信を送信および受信するための技法と、免許不要無線周波数スペクトル帯域を介してランダムアクセスを実施するための技法と、免許不要無線周波数スペクトル帯域を介して送信モードを動的に修正するための技法とを含む、免許不要無線周波数スペクトル帯域を介するワイヤレス通信に関する。
【０００７】
[0007]ワイヤレス通信のための方法が記載され、方法は、基地局に関する複数のパラメータを備えるシステム情報ブロックを生成することと、ここにおいて、パラメータは、少なくとも１つのリッスンビフォアトーク（ＬＢＴ）パラメータと、少なくとも１つのセル識別子と、少なくとも１つの無線フレーム識別子とを備える、免許不要無線周波数スペクトル帯域を介してシステム情報ブロックを送信することとを備える。
【０００８】
[0008]ワイヤレス通信のための装置が記載され、装置は、基地局に関する複数のパラメータを備えるシステム情報ブロックを生成するための手段と、ここにおいて、パラメータは、少なくとも１つのＬＢＴパラメータと、少なくとも１つのセル識別子と、少なくとも１つの無線フレーム識別子とを備える、免許不要無線周波数スペクトル帯域を介してシステム情報ブロックを送信するための手段とを備える。
【０００９】
[0009]ワイヤレス通信のための装置が記載され、装置は、プロセッサと、プロセッサと結合されたメモリとを備え、プロセッサは、基地局に関する複数のパラメータを備えるシステム情報ブロックを生成することと、ここにおいて、パラメータは、少なくとも１つのＬＢＴパラメータと、少なくとも１つのセル識別子と、少なくとも１つの無線フレーム識別子とを備える、免許不要無線周波数スペクトル帯域を介してシステム情報ブロックを送信することとを行うように構成される。
【００１０】
[0010]ワイヤレス通信のための命令を記憶する非一時的コンピュータ可読媒体も記載され、命令は、基地局に関する複数のパラメータを備えるシステム情報ブロックを生成することと、ここにおいて、パラメータは、少なくとも１つのＬＢＴパラメータと、少なくとも１つのセル識別子と、少なくとも１つの無線フレーム識別子とを備える、免許不要無線周波数スペクトル帯域を介してシステム情報ブロックを送信することとを行うように、プロセッサによって実行可能な命令を備える。
【００１１】
[0011]方法、装置、および／または非一時的コンピュータ可読媒体のいくつかの態様によれば、システム情報ブロックは、基地局に関連付けられたクリアチャネルアセスメント（ＣＣＡ）除外送信（ＣＥＴ）サブフレームの間の免許不要無線周波数スペクトル帯域を介して送信される。いくつかの例では、ＣＥＴサブフレームは周期的であり、システム情報ブロックを送信することは、ＣＥＴの各インスタンスにおいてシステム情報ブロックを送信することを備える。
【００１２】
[0012]方法、装置、および／または非一時的コンピュータ可読媒体のいくつかの態様によれば、ＣＣＡは日和見的なシステム情報ブロック送信に関連付けられた非ＣＥＴサブフレームよりも前に実施されてもよいし、システム情報ブロックは、ＣＣＡが成功すると、非ＣＥＴサブフレーム上で送信されてもよい。システム情報ブロックの様々な冗長バージョンが、様々な時間間隔で送信され得る。
【００１３】
[0013]方法、装置、および／または非一時的コンピュータ可読媒体のいくつかの態様は、ＬＢＴパラメータを動的に修正することと、次のＣＥＴサブフレームにおいてシステム情報ブロックの更新バージョンを送信することとをさらに備える場合がある。いくつかの例では、少なくとも１つのセル識別子は、物理セル識別子（ＰＩＤ）、事業者識別子、セルグローバル識別情報（ＣＧＩ）、およびそれらの組合せから構成されるグループから選択される。
【００１４】
[0014]方法、装置、および／または非一時的コンピュータ可読媒体のいくつかの態様では、少なくとも１つのＬＢＴパラメータは、拡張クリアチャネルアセスメント（ＥＣＣＡ）カウンタパラメータ、ＣＣＡエネルギーしきい値、基地局再同期用のガード期間、およびそれらの組合せから構成されるグループから選択される。いくつかの例では、基地局におけるＥＣＣＡ手順は、ユニキャスト送信およびブロードキャスト送信について同一である。
【００１５】
[0015]方法、装置、および／または非一時的コンピュータ可読媒体のいくつかの態様では、無線フレーム識別子は、システムフレーム番号（ＳＦＮ）を備える。いくつかの例では、システム情報ブロックは、免許不要無線周波数スペクトル帯域に関連付けられたコンポーネントキャリアの全帯域幅に及ぶ。
【００１６】
[0016]ワイヤレス通信のための方法が記載され、方法は、免許不要無線周波数スペクトル帯域を介してシステム情報ブロックを受信することを備え、システム情報ブロックは基地局に関する複数のパラメータを備え、パラメータは、少なくとも１つのリッスンビフォアトーク（ＬＢＴ）パラメータと、少なくとも１つのセル識別子と、少なくとも１つの無線フレーム識別子とを備える。
【００１７】
[0017]ワイヤレス通信のための装置が記載され、装置は、免許不要無線周波数スペクトル帯域を介してシステム情報ブロックを受信するための手段を備え、システム情報ブロックは基地局に関する複数のパラメータを備え、パラメータは、少なくとも１つのＬＢＴパラメータと、少なくとも１つのセル識別子と、少なくとも１つの無線フレーム識別子とを備える。
【００１８】
[0018]ワイヤレス通信のための装置が記載され、装置は、プロセッサと、プロセッサと結合されたメモリとを備え、プロセッサは、免許不要無線周波数スペクトル帯域を介してシステム情報ブロックを受信するように構成され、システム情報ブロックは基地局に関する複数のパラメータを備え、パラメータは、少なくとも１つのＬＢＴパラメータと、少なくとも１つのセル識別子と、少なくとも１つの無線フレーム識別子とを備える。
【００１９】
[0019]ワイヤレス通信のための命令を記憶する非一時的コンピュータ可読媒体も記載され、命令は、免許不要無線周波数スペクトル帯域を介してシステム情報ブロックを受信するように、プロセッサによって実行可能な命令を備え、システム情報ブロックは基地局に関する複数のパラメータを備え、パラメータは、少なくとも１つのＬＢＴパラメータと、少なくとも１つのセル識別子と、少なくとも１つの無線フレーム識別子とを備える。
【００２０】
[0020]方法、装置、および／または非一時的コンピュータ可読媒体のいくつかの態様によれば、システム情報ブロックは、基地局に関連付けられたクリアチャネルアセスメント（ＣＣＡ）除外送信（ＣＥＴ）サブフレームの間の免許不要無線周波数スペクトル帯域を介して受信される。ＬＢＴ動作は、システム情報ブロック内で受信された少なくとも１つのＬＢＴパラメータに基づいて、調整され得る。
【００２１】
[0021]方法、装置、および／または非一時的コンピュータ可読媒体のいくつかの態様によれば、少なくとも１つのセル識別子は、物理セル識別子（ＰＩＤ）、事業者識別子、セルグローバル識別子（ＣＧＩ）、およびそれらの組合せから構成されるグループから選択される。
【００２２】
[0022]方法、装置、および／または非一時的コンピュータ可読媒体のいくつかの態様によれば、少なくとも１つのＬＢＴパラメータは、拡張ＣＣＡ（ＥＣＣＡ）カウンタパラメータ、ＣＣＡエネルギーしきい値、基地局再同期用のガード期間、およびそれらの組合せから構成されるグループから選択される。
【００２３】
[0023]方法、装置、および／または非一時的コンピュータ可読媒体のいくつかの態様によれば、少なくとも１つの無線フレーム識別子は、システムフレーム番号（ＳＦＮ）を備える。システム情報ブロックは、免許不要無線周波数スペクトル帯域に関連付けられたコンポーネントキャリアの全帯域幅に及ぶ場合がある。
【００２４】
[0024]上記では、発明を実施するための形態を明らかにするために、本開示による例の特徴および技術的利点が概説された。さらなる特徴および利点が以下に記載される。開示される概念および具体例は、本開示の同じ目的を遂行するために他の構造を修正または設計するための基礎として、容易に利用され得る。そのような等価な構成は、添付の特許請求の範囲から逸脱しない。本明細書で開示される概念の特徴、それらの構成と動作の方法の両方は、関連する利点と一緒に、添付の図にとともに考慮されると、以下の説明からより良く理解されよう。図の各々は、例示および説明のみのために提供されるものであり、特許請求の範囲の限定の定義として提供されるものではない。
【００２５】
[0025]本開示の性質および利点のさらなる理解は、以下の図面を参照することによって実現され得る。添付の図では、同様の構成要素または特徴は、同じ参照ラベルを有することができる。さらに、同じタイプの様々な構成要素は、参照ラベルの後に、ダッシュと、それらの同様の構成要素の間を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２６】
【図１】[0026]本開示の様々な態様による、ワイヤレス通信システムの一例を示す図。
【図２】[0027]本開示の様々な態様による、免許不要無線周波数スペクトル帯域を使用する様々なシナリオの下でＬＴＥ（登録商標）／ＬＴＥ−Ａが展開されるワイヤレス通信システムを示す図。
【図３】[0028]本開示の様々な態様による、免許不要無線周波数スペクトル帯域を介して送信されるＬＢＴ無線フレーム内のＬＴＥ／ＬＴＥ−Ａ通信に使用され得る７つのＴＤＤ構成を示す図。
【図４】[0029]本開示の様々な態様による、ワイヤレス通信において使用するための基地局のブロック図。
【図５】[0030]本開示の様々な態様による、ワイヤレス通信において使用するための基地局のブロック図。
【図６】[0031]本開示の様々な態様による、ワイヤレス通信において使用され得るＵＥのブロック図。
【図７】[0032]本開示の様々な態様による、ワイヤレス通信に使用され得るＵＥのブロック図。
【図８】[0033]本開示の様々な態様による、免許不要無線周波数スペクトル帯域を介するＣＥＴサブフレームの間の複数のパラメータの送信を示すタイミング図。
【図９】[0034]本開示の様々な態様による、特定のＴＤＤ構成用の複数のサブフレームを定義する無線フレームの図。
【図１０】[0035]本開示の様々な態様による、ＥＣＣＡサブフレームを示す無線フレームの図。
【図１１】[0036]本開示の様々な態様による、１つまたは複数の同期信号（たとえば、ｅＰＳＳ、ｅＳＳＳ、またはそれらの組合せ）およびｅＣＲＳ信号の周波数および時間における位置を示す無線フレームの図。
【図１２】[0037]本開示の様々な態様による、無線フレームの間のＤ−ＣＵＢＳの送信を示す無線フレームの図。
【図１３】[0038]本開示の様々な態様による、いくつかのサブフレームの別のタイミング図を示す図。
【図１４】[0039]本開示の様々な態様による、アップリンクＣＥＴ（Ｕ−ＣＥＴ）サブフレームを示す図。
【図１５】[0040]本開示の様々な態様による、Ｕ−ＣＥＴの拡大されたインターレースを示す図。
【図１６】[0041]本開示の様々な態様による、ランダムアクセスチャネルに対応する図。
【図１７】[0042]本開示の様々な態様による、アップリンク送信用のＥＣＣＡ手順において使用するための無線サブフレームおよびＥＣＣＡサブフレームの図。
【図１８】[0043]本開示の様々な態様による、アップリンクＳＣ−ＦＤＭＡ送信において使用するための拡大されたインターレースの図。
【図１９】[0044]本開示の様々な態様による、アップリンクＯＦＤＭＡ送信において使用するための拡大されたインターレースの図。
【図２０】[0045]本開示の様々な態様による、ワイヤレス通信のための方法を示すフローチャート。
【図２１】本開示の様々な態様による、ワイヤレス通信のための方法を示すフローチャート。
【図２２】本開示の様々な態様による、ワイヤレス通信のための方法を示すフローチャート。
【図２３】本開示の様々な態様による、ワイヤレス通信のための方法を示すフローチャート。
【図２４】本開示の様々な態様による、ワイヤレス通信のための方法を示すフローチャート。
【図２５】本開示の様々な態様による、ワイヤレス通信のための方法を示すフローチャート。
【図２６】本開示の様々な態様による、ワイヤレス通信のための方法を示すフローチャート。
【図２７】本開示の様々な態様による、ワイヤレス通信のための方法を示すフローチャート。
【図２８】本開示の様々な態様による、ワイヤレス通信のための方法を示すフローチャート。
【図２９】本開示の様々な態様による、ワイヤレス通信のための方法を示すフローチャート。
【図３０】本開示の様々な態様による、ワイヤレス通信のための方法を示すフローチャート。
【図３１】本開示の様々な態様による、ワイヤレス通信のための方法を示すフローチャート。
【図３２】本開示の様々な態様による、ワイヤレス通信のための方法を示すフローチャート。
【図３３】本開示の様々な態様による、ワイヤレス通信のための方法を示すフローチャート。
【図３４】本開示の様々な態様による、ワイヤレス通信のための方法を示すフローチャート。
【図３５】本開示の様々な態様による、ワイヤレス通信のための方法を示すフローチャート。
【図３６】本開示の様々な態様による、ワイヤレス通信のための方法を示すフローチャート。
【図３７】本開示の様々な態様による、ワイヤレス通信のための方法を示すフローチャート。
【図３８】本開示の様々な態様による、ワイヤレス通信のための方法を示すフローチャート。
【図３９】[0046]本開示の様々な態様による、ワイヤレス通信において使用するためのシステムの図。
【図４０】[0047]本開示の様々な態様による、ワイヤレス通信において使用するためのシステムの図。
【発明を実施するための形態】
【００２７】
[0048]免許不要無線周波数スペクトル帯域がワイヤレス通信システムの少なくとも一部分に使用される技法が記載される。いくつかの例では、免許不要無線周波数スペクトル帯域は、ロングタームエボリューション（ＬＴＥ）通信および／またはＬＴＥアドバンスト（ＬＴＥ−Ａ）通信に使用される場合がある。免許不要無線周波数スペクトル帯域は、認可無線周波数スペクトル帯域と組み合わせて、または認可無線周波数スペクトル帯域とは無関係に使用される場合がある。いくつかの例では、無線周波数スペクトル帯域が免許不要の用途（たとえば、免許不要無線周波数スペクトル帯域におけるＷｉ−Ｆｉ（登録商標）用途および／またはＬＴＥ／ＬＴＥ−Ａ用途）に少なくとも部分的に利用可能なので、免許不要無線周波数スペクトル帯域は、装置がアクセスを競う必要があり得る無線周波数スペクトル帯域であり得る。
【００２８】
[0049]認可無線周波数スペクトル帯域を使用するセルラーネットワークにおけるデータトラフィックの増加とともに、少なくとも一部のデータトラフィックを免許不要無線周波数スペクトル帯域にオフロードすると、セルラー事業者（たとえば、公的地域モバイルネットワーク（ＰＬＭＮ）、および／またはＬＴＥ／ＬＴＥ−Ａネットワークなどのセルラーネットワークを定義する基地局の協調セットの事業者）に、データ送信容量を拡張するための機会を提供することができる。上述されたように、免許不要無線周波数スペクトル帯域を介して通信する前に、デバイスは、免許不要無線周波数スペクトル帯域にアクセスするために、リッスンビフォアトーク（ＬＢＴ）手順を実施することができる。そのようなＬＢＴ手順は、免許不要無線周波数スペクトル帯域のチャネルが利用可能であるかどうかを決定するために、クリアチャネルアセスメント（ＣＣＡ）を実施することを含む場合がある。
【００２９】
[0050]以下の説明は例を提供するものであり、特許請求の範囲に記載される範囲、適用可能性、または例を限定するものではない。本開示の範囲から逸脱することなく、説明される要素の機能および構成において変更が行われる場合がある。様々な例は、適宜、様々な手順または構成要素を省略、置換、または追加する場合がある。たとえば、説明される方法は、説明される順序とは異なる順序で実施される場合があり、様々なステップが追加、省略、または組み合わされる場合がある。また、いくつかの例に関して記載される特徴は、他の例において組み合わされる場合がある。
【００３０】
[0051]図１は、本開示の様々な態様による、ワイヤレス通信システム１００の一例を示す。ワイヤレス通信システム１００は、基地局１０５（たとえば、１つまたは複数のｅＮＢの一部またはすべてを形成する基地局）と、いくつかのユーザ機器（ＵＥ）１１５と、コアネットワーク１３０とを含む場合がある。基地局１０５のうちのいくつかは、様々な例ではコアネットワーク１３０の一部または基地局１０５のうちのいくつかの基地局であり得る、基地局コントローラ（図示せず）の制御下でＵＥ１１５と通信することができる。基地局１０５のうちのいくつかは、バックホール１３２を介してコアネットワーク１３０と制御情報および／またはユーザデータを通信することができる。いくつかの例では、基地局１０５のうちのいくつかは、有線またはワイヤレスの通信リンクであり得るバックホールリンク１３４を介して互いと、直接的または間接的のいずれかで通信することができる。ワイヤレス通信システム１００は、複数のキャリア（様々な周波数の波形信号）上での動作をサポートすることができる。マルチキャリア送信機は、複数のキャリア上で変調された信号を同時に送信することができる。たとえば、各通信リンク１２５は、様々な無線技術に従って変調されたマルチキャリア信号であり得る。各々の変調された信号は、異なるキャリア上で送られる場合があり、制御情報（たとえば、基準信号、制御チャネルなど）、オーバーヘッド情報、データなどを搬送することができる。
【００３１】
[0052]基地局１０５は、１つまたは複数の基地局アンテナを介して、ＵＥ１１５とワイヤレスに通信することができる。基地局１０５の各々は、それぞれのカバレージエリア１１０に通信カバレージを提供することができる。いくつかの例では、基地局１０５は、アクセスポイント、トランシーバ基地局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ワイヤレスローカルエリアネットワーク（ＷＬＡＮ）アクセスポイント、Ｗｉ−Ｆｉノード、または他の何らかの適切な用語で呼ばれる場合がある。基地局１０５のためのカバレッジエリア１１０は、カバレッジエリアの一部分のみを構成するセクタに分割され得る。ワイヤレス通信システム１００は、様々なタイプ（たとえば、マクロ基地局、マイクロ基地局、および／またはピコ基地局）の基地局１０５を含む場合がある。基地局１０５はまた、セルラーおよび／またはＷＬＡＮの無線アクセス技術などの様々な無線技術を利用することができる。基地局１０５は、同じまたは異なるアクセスネットワークまたは（たとえば、本明細書では「事業者」と総称して呼ばれる）事業者展開に関連付けられ得る。同じもしくは異なるタイプの基地局１０５のカバレージエリアを含み、同じもしくは異なる無線技術を利用し、および／または同じもしくは異なるアクセスネットワークに属する、様々な基地局１０５のカバレージエリアは、重複する場合がある。
【００３２】
[0053]いくつかの例では、ワイヤレス通信システム１００は、第１の無線周波数スペクトル帯域（たとえば、無線周波数スペクトル帯域が、ＬＴＥ／ＬＴＥ−Ａ通信に使用可能な認可無線周波数スペクトル帯域などの、特定の用途のために特定のユーザに認可されるので、デバイスがアクセスを競わない無線周波数スペクトル帯域）、ならびに／または、第２の無線周波数スペクトル帯域（たとえば、無線周波数スペクトル帯域がＷｉ−Ｆｉ用途などの免許不要の用途に利用可能なので、デバイスがアクセスを競う必要があり得る免許不要無線周波数スペクトル帯域などの免許不要無線周波数スペクトル帯域、もしくは、無線周波数スペクトル帯域が競合ベースで２つ以上の事業者による使用に利用可能なので、デバイスがアクセスを競う必要があり得る認可無線周波数スペクトル帯域）において、動作または展開の１つまたは複数のモードをサポートすることができる、ＬＴＥ／ＬＴＥ−Ａ通信システム（またはネットワーク）を含む場合がある。他の例では、ワイヤレス通信システム１００は、ＬＴＥ／ＬＴＥ−Ａとは異なる１つまたは複数のアクセス技術を使用して、ワイヤレス通信をサポートすることができる。ＬＴＥ／ＬＴＥ−Ａ通信システムでは、発展型ノードＢまたはｅＮＢという用語は、たとえば、基地局１０５の複数またはグループを記述するために使用される場合がある。
【００３３】
[0054]ワイヤレス通信システム１００は、様々なタイプの基地局１０５が様々な地理的領域にカバレージを提供する、ＬＴＥ／ＬＴＥ−Ａネットワークであるか、またはそれを含む場合がある。たとえば、各基地局１０５は、マクロセル、ピコセル、フェムトセル、および／または他のタイプのセルに通信カバレージを提供することができる。ピコセル、フェムトセル、および／または他のタイプのセルなどのスモールセルは、低電力ノード（ＬＰＮ）を含む場合がある。マクロセルは、たとえば、比較的大きい地理的エリア（たとえば、半径数キロメートル）をカバーし、ネットワークプロバイダのサービスに加入しているＵＥによる無制限アクセスを可能にすることができる。ピコセルは、たとえば、比較的小さい地理的エリアをカバーするはずであり、ネットワークプロバイダのサービスに加入しているＵＥによる無制限アクセスを可能にすることができる。フェムトセルも、たとえば、比較的小さい地理的エリア（たとえば、自宅）をカバーするはずであり、無制限アクセスに加えて、フェムトセルとの関連を有するＵＥ（たとえば、限定加入者グループ（ＣＳＧ）内のＵＥ、自宅内のユーザのためのＵＥなど）による制限付きアクセスも提供することができる。マクロセルのためのｅＮＢは、マクロｅＮＢと呼ばれる場合がある。ピコセルのためのｅＮＢは、ピコｅＮＢと呼ばれる場合がある。また、フェムトセルのためのｅＮＢは、フェムトｅＮＢまたはホームｅＮＢと呼ばれる場合がある。ｅＮＢは、１つまたは複数の（たとえば、２つ、３つ、４つなどの）セルをサポートすることができる。
【００３４】
[0055]コアネットワーク１３０は、バックホール１３２（たとえば、Ｓ１アプリケーションプロトコルなど）を介して、基地局１０５と通信することができる。基地局１０５はまた、たとえば、バックホールリンク１３４（たとえば、Ｘ２アプリケーションプロトコルなど）を介して、および／またはバックホール１３２を介して（たとえば、コアネットワーク１３０を介して）、直接的または間接的に互いに通信することができる。ワイヤレス通信システム１００は、同期動作または非同期動作をサポートすることができる。同期動作の場合、ｅＮＢは同様のフレームタイミングおよび／またはゲーティングタイミングを有することができ、様々なｅＮＢからの送信は時間的にほぼ整合され得る。非同期動作の場合、ｅＮＢは異なるフレームタイミングおよび／またはゲーティングタイミングを有することができ、様々なｅＮＢからの送信は時間的に整合されない場合がある。
【００３５】
[0056]ＵＥ１１５は、ワイヤレス通信システム１００全体にわたって分散され得る。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。ＵＥ１１５は、携帯電話、スマートフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５は、セルラーもしくは他のワイヤレスワイドエリアネットワーク（ＷＷＡＮ）アクセスネットワーク、またはＷＬＡＮアクセスネットワークなどの、様々なタイプのアクセスネットワークを介して通信することも可能であり得る。ＵＥ１１５との通信のいくつかのモードでは、複数の通信リンク１２５またはチャネル（すなわち、コンポーネントキャリア）を介して通信が行われ得るし、各チャネルは、ＵＥ１１５といくつかのセル（たとえば、場合によってはそれらのセルが同じまたは異なる基地局１０５によって動作され得る、サービングセル）のうちの１つとの間のコンポーネントキャリアを使用する。
【００３６】
[0057]各コンポーネントキャリアは、第１の（たとえば、認可）無線周波数スペクトル帯域または第２の（たとえば、免許不要）無線周波数スペクトル帯域を介して提供され得るし、特定の通信モードにおいて使用される１組のコンポーネントキャリアは、すべて第１の無線周波数スペクトル帯域を介して（たとえば、ＵＥ１１５において）受信され得るか、すべて第２の無線周波数スペクトル帯域を介して受信され得るか、または第１の無線周波数スペクトル帯域と第２の無線周波数スペクトル帯域の組合せを介して受信され得る。
【００３７】
[0058]ワイヤレス通信システム１００に示された通信リンク１２５は、アップリンク（ＵＬ）通信（たとえば、ＵＥ１１５から基地局１０５への送信）を搬送するための（コンポーネントキャリアを使用する）アップリンクチャネル、および／またはダウンリンク（ＤＬ）通信（たとえば、基地局１０５からＵＥ１１５への送信）を搬送するための（コンポーネントキャリアを使用する）ダウンリンクチャネルを含む場合がある。ＵＬ通信または送信は、逆方向リンク通信または送信と呼ばれる場合もあり、ＤＬ通信または送信は、順方向リンク通信または送信と呼ばれる場合もある。ダウンリンク通信および／またはアップリンク通信は、第１の（たとえば、認可）無線周波数スペクトル帯域、第２の（たとえば、免許不要）無線周波数スペクトル帯域、または両方を使用して行われ得る。
【００３８】
[0059]ワイヤレス通信システム１００のいくつかの例では、ＬＴＥ／ＬＴＥ−Ａは、第２の（たとえば、免許不要）無線周波数スペクトル帯域を使用する様々なシナリオの下で展開される場合がある。展開シナリオは、第１の（たとえば、認可）無線周波数スペクトル帯域におけるＬＴＥ／ＬＴＥ−Ａダウンリンク通信が第２の無線周波数スペクトル帯域にオフロードされ得る補助ダウンリンクモード、ＬＴＥ／ＬＴＥ−Ａダウンリンク通信とＬＴＥ／ＬＴＥ−Ａアップリンク通信の両方が第１の無線周波数スペクトル帯域から第２の無線周波数スペクトル帯域にオフロードされ得るキャリアアグリゲーションモード、ならびに／または基地局１０５とＵＥ１１５との間のＬＴＥ／ＬＴＥ−Ａダウンリンク通信およびＬＴＥ／ＬＴＥ−Ａアップリンク通信が第２の無線周波数スペクトル帯域を使用して単独で行われ得るスタンドアロンモードを含む場合がある。基地局１０５ならびにＵＥ１１５は、いくつかの例では、これらまたは同様の動作モードのうちの１つまたは複数をサポートすることができる。直交周波数分割多元接続（ＯＦＤＭＡ）波形は、第１の（たとえば、認可）無線周波数スペクトル帯域および／または第２の（たとえば、免許不要）無線周波数スペクトル帯域におけるＬＴＥ／ＬＴＥ−Ａダウンリンク通信用の通信リンク１２５において使用され得るし、ＯＦＤＭＡ波形、シングルキャリア周波数分割多元接続（ＳＣ−ＦＤＭＡ）波形、および／またはリソースブロックインターリーブＦＤＭＡ波形は、第１の無線周波数スペクトル帯域および／または第２の（たとえば、免許不要）無線周波数スペクトル帯域におけるＬＴＥ／ＬＴＥ−Ａアップリンク通信用の通信リンク１２５において使用され得る。
【００３９】
[0060]図２は、本開示の様々な態様による、免許不要無線周波数スペクトル帯域を使用する様々なシナリオの下でＬＴＥ／ＬＴＥ−Ａが展開されるワイヤレス通信システム２００を示す。より具体的には、図２は、免許不要無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照して記載されたワイヤレス通信システム１００の部分の例であり得る。その上、第１の基地局１０５−ａ−１および第２の基地局１０５−ａ−２は、図１を参照して記載された基地局１０５のうちの１つまたは複数の態様の例であり得るし、第１のＵＥ１１５−ａ−１、第２のＵＥ１１５−ａ−２、第３のＵＥ１１５−ａ−３、および第４のＵＥ１１５−ａ−４は、図１を参照して記載されたＵＥ１１５のうちの１つまたは複数の態様の例であり得る。
【００４０】
[0061]ワイヤレス通信システム２００における補助ダウンリンクモードの例では、第１の基地局１０５−ａ−１は、ダウンリンクチャネル２２０を使用して第１のＵＥ１１５−ａ−１にＯＦＤＭＡ波形を送信することができる。ダウンリンクチャネル２２０は、免許不要無線周波数スペクトル帯域内の周波数Ｆ１と関連付けられ得る。第１の基地局１０５−ａ−１は、第１の双方向リンク２２５を使用して第１のＵＥ１１５−ａ−１にＯＦＤＭＡ波形を送信することもでき、第１の双方向リンク２２５を使用して第１のＵＥ１１５−ａ−１からＳＣ−ＦＤＭＡ波形を受信することができる。第１の双方向リンク２２５は、認可無線周波数スペクトル帯域内の周波数Ｆ４と関連付けられ得る。免許不要無線周波数スペクトル帯域内のダウンリンクチャネル２２０および認可無線周波数スペクトル帯域内の第１の双方向リンク２２５は、同時に動作することができる。ダウンリンクチャネル２２０は、第１の基地局１０５−ａ−１にダウンリンク容量のオフロードを提供することができる。いくつかの例では、ダウンリンクチャネル２２０は、（たとえば、１つのＵＥに宛てられる）ユニキャストサービス、または（たとえば、いくつかのＵＥに宛てられる）マルチキャストサービスに使用される場合がある。この補助ダウンリンクモードは、追加のダウンリンク帯域幅が必要とされる認可無線周波数スペクトルを使用するサービスプロバイダ（たとえば、モバイルネットワーク事業者（ＭＮＯ））によって利用され得る。
【００４１】
[0062]ワイヤレス通信システム２００におけるキャリアアグリゲーションモードの一例では、第１の基地局１０５−ａ−１は、第２の双方向リンク２３０を使用して第２のＵＥ１１５−ａ−２にＯＦＤＭＡ波形を送信することができ、第２の双方向リンク２３０を使用して第２のＵＥ１１５−ａ−２からＯＦＤＭＡ波形、ＳＣ−ＦＤＭＡ波形、および／またはリソースブロックインターリーブＦＤＭＡ波形を受信することができる。第２の双方向リンク２３０は、免許不要無線周波数スペクトル帯域内の周波数Ｆ１と関連付けられ得る。第１の基地局１０５−ａ−１は、第３の双方向リンク２３５を使用して第２のＵＥ１１５−ａ−２にＯＦＤＭＡ波形を送信することもでき、第３の双方向リンク２３５を使用して第２のＵＥ１１５−ａ−２からＳＣ−ＦＤＭＡ波形を受信することができる。第３の双方向リンク２３５は、認可無線周波数スペクトル帯域内の周波数Ｆ２と関連付けられ得る。第２の双方向リンク２３０は、第３の双方向リンク２３５にダウンリンクおよびアップリンクのオフローディングを提供することができる。このキャリアアグリゲーションモードは、追加のダウンリンク帯域幅および追加のアップリンク帯域幅が必要とされる認可無線周波数スペクトルを使用するサービスプロバイダによって利用され得る。
【００４２】
[0063]ワイヤレス通信システム２００におけるキャリアアグリゲーションモードの別の例では、第１の基地局１０５−ａ−１は、第４の双方向リンク２４０を使用して第３のＵＥ１１５−ａ−３にＯＦＤＭＡ波形を送信することができ、第４の双方向リンク２４０を使用して第３のＵＥ１１５−ａ−３からＯＦＤＭＡ波形、ＳＣ−ＦＤＭＡ波形、および／またはリソースブロックインターリーブ波形を受信することができる。第４の双方向リンク２４０は、免許不要無線周波数スペクトル帯域内の周波数Ｆ３と関連付けられ得る。第１の基地局１０５−ａ−１は、第５の双方向リンク２４５を使用して第３のＵＥ１１５−ａ−３にＯＦＤＭＡ波形を送信することもでき、第５の双方向リンク２４５を使用して第３のＵＥ１１５−ａ−３からＳＣ−ＦＤＭＡ波形を受信することができる。第５の双方向リンク２４５は、認可無線周波数スペクトル帯域内の周波数Ｆ２と関連付けられ得る。第４の双方向リンク２４０は、第１の基地局１０５−ａ−１にダウンリンク容量およびアップリンク容量のオフロードを提供することができる。この例および上記で提供された例は、説明のために提示され、容量のオフロードのために認可無線周波数スペクトル帯域内のＬＴＥ／ＬＴＥ−Ａと免許不要無線周波数スペクトル帯域内のＬＴＥ／ＬＴＥ−Ａを組み合わせる、他の同様の動作モードまたは展開シナリオが存在する場合がある。
【００４３】
[0064]上述されたように、免許不要無線周波数スペクトル帯域内でＬＴＥ／ＬＴＥ−Ａを使用することによって提供される容量のオフロードから利益を得ることができる１つのタイプのサービスプロバイダは、ＬＴＥ／ＬＴＥ−Ａ認可無線周波数スペクトル帯域へのアクセス権を有する従来のＭＮＯである。これらのサービスプロバイダの場合、運用例には、認可無線周波数スペクトル帯域上のＬＴＥ／ＬＴＥ−Ａ１次コンポーネントキャリア（ＰＣＣ）と、免許不要無線周波数スペクトル帯域上の少なくとも１つの２次コンポーネントキャリア（ＳＣＣ）とを使用する、ブートストラップモード（たとえば、補助ダウンリンク、キャリアアグリゲーション）が含まれ得る。
【００４４】
[0065]キャリアアグリゲーションモードでは、データおよび制御は、たとえば、（たとえば、第１の双方向リンク２２５、第３の双方向リンク２３５、および第５の双方向リンク２４５を介して）認可無線周波数スペクトル内で通信され得るし、データは、たとえば、（たとえば、第２の双方向リンク２３０および第４の双方向リンク２４０を介して）免許不要無線周波数スペクトル帯域内で通信され得る。免許不要無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの分類に入る場合がある。
【００４５】
[0066]まだ図２を参照すると、ワイヤレス通信システム２００におけるスタンドアロンモードの一例では、第２の基地局１０５−ａ−２は、双方向リンク２５０を使用して第４のＵＥ１１５−ａ−４にＯＦＤＭＡ波形を送信することができ、双方向リンク２５０を使用して第４のＵＥ１１５−ａ−４からＯＦＤＭＡ波形、ＳＣ−ＦＤＭＡ波形、および／またはリソースブロックインターリーブＦＤＭＡ波形を受信することができる。双方向リンク２５０は、免許不要無線周波数スペクトル帯域内の周波数Ｆ３と関連付けられ得る。スタンドアロンモードは、スタジアム内アクセス（たとえば、ユニキャスト、マルチキャスト）などの、非従来型のワイヤレスアクセスシナリオにおいて使用される場合がある。この動作モードのためのサービスプロバイダのタイプの一例は、認可無線周波数スペクトル帯域へのアクセスをもたないスタジアム所有者、ケーブル会社、イベント主催者、ホテル、企業、または大企業であり得る。スタンドアロンモードでは、データと制御の両方は、（たとえば、双方向リンク２５０を介して）免許不要無線周波数スペクトル帯域内で通信され得る。
【００４６】
[0067]いくつかの例では、図１および／もしくは図２を参照して記載された基地局１０５のうちの１つ、ならびに／または図１および／もしくは図２を参照して記載されたＵＥ１１５のうちの１つなどの送信装置は、免許不要無線周波数スペクトル帯域のチャネルに（たとえば、免許不要無線周波数スペクトル帯域の物理チャネルに）アクセスするためにゲーティング間隔を使用することができる。ゲーティング間隔は、欧州電気通信標準化機構（ＥＴＳＩ）（ＥＮ３０１  ８９３）において指定されたＬＢＴプロトコルに少なくとも部分的に基づくＬＢＴプロトコルなどの、競合ベースプロトコルの適用を定義することができる。ＬＢＴプロトコルの適用を定義するゲーティング間隔を使用すると、ゲーティング間隔は、送信装置がクリアチャネルアセスメント（ＣＣＡ）などの競合手順をいつ実施する必要があるかを示すことができる。ＣＣＡの結果は、免許不要無線周波数スペクトル帯域のチャネルが（ＬＢＴ無線フレームまたはＣＣＡフレームとも呼ばれる）ゲーティング間隔に利用可能であるか、または使用中であるかを送信デバイスに示すことができる。チャネルが対応するＬＢＴ無線フレームに利用可能である（たとえば、使用のために「空いている」）ことをＣＣＡが示すと、送信装置は、チャネル使用ビーコン信号（ＣＵＢＳ）を利用することによって、ＬＢＴ無線フレームの一部またはすべての間の免許不要無線周波数スペクトル帯域のチャネルを予約および／または使用することができる。チャネルが利用可能でない（たとえば、チャネルが別の装置によって使用中であるか予約されている）ことをＣＣＡが示すと、送信装置は、ＬＢＴ無線フレームの間のチャネルを使用することを妨害され得るが、それにもかかわらず、次のＬＢＴ無線フレームの間のチャネルの利用可能性をチェックすることができる。
【００４７】
[0068]図３は、本開示の様々な態様による、免許不要無線周波数スペクトル帯域を介して送信されるＬＢＴ無線フレーム内のＬＴＥ／ＬＴＥ−Ａ通信に使用され得る７つのＴＤＤ構成３０５を示す。ＴＤＤ構成３０５の各々は、２つのＤＬＵＬ間切替えポイント周期性３１０−ａ、すなわち、５ｍｓ切替えポイント周期性または１０ｍｓ切替えポイント周期性のうちの１つを有する。より詳細には、０、１、２、および６の番号が付けられたＴＤＤ構成は、５ｍｓ切替えポイント周期性（すなわち、ハーフフレーム切替えポイント周期性）を有し、３、４、および５の番号が付けられたＴＤＤ構成は、１０ｍｓ切替えポイント周期性を有する。５ｍｓ切替えポイント周期性を有するＴＤＤ構成は、無線フレーム当たりいくつかのダウンリンク（ＤＬ）サブフレームと、いくつかのアップリンク（ＵＬ）サブフレームと、２つの特殊（Ｓ）サブフレームとを提供する。１０ｍｓ切替えポイント周期性を有するＴＤＤ構成は、無線フレーム当たりいくつかのＤＬサブフレームと、いくつかのＵＬサブフレームと、１つのＳサブフレームとを提供する。
【００４８】
[0069]図４は、本開示の様々な態様による、ワイヤレス通信において使用するための基地局１０５−ｂのブロック図４００を示す。図４の基地局１０５−ｂは、たとえば、図１および図２に示された基地局１０５のうちの１つであり得る。図４に示された基地局１０５−ｂは、受信機４０５と、コントローラモジュール４１０と、送信機４１５とを含む。基地局１０５−ｂはプロセッサを含む場合もある。これらの構成要素の各々は、互いに通信している場合がある。
【００４９】
[0070]基地局１０５−ｂの構成要素は、個別にまたは集合的に、ハードウェア内の適用可能な機能の一部またはすべてを実施するように適合された、１つまたは複数の特定用途向け集積回路（ＡＳＩＣ）を用いて実装され得る。代替として、それらの機能は、１つまたは複数の集積回路上で、１つまたは複数の他の処理ユニット（またはコア）によって実施される場合がある。他の例では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、および他のセミカスタムＩＣ）が使用される場合がある。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【００５０】
[0071]受信機４０５は、様々な情報チャネル（たとえば、制御チャネル、データチャネルなど）に関連付けられたパケット、ユーザデータ、および／または制御情報もしくはシグナリングなどの情報を受信することができる。受信機４０５は、たとえば、免許不要無線周波数スペクトル帯域および／または認可無線周波数スペクトル帯域内の１つまたは複数のＬＴＥコンポーネントキャリアを使用するワイヤレス通信リンクを介して、ワイヤレスに情報を受信することができる。情報は、コントローラモジュール４１０および基地局１０５−ｂの他の構成要素に渡され得る。
【００５１】
[0072]コントローラモジュール４１０は、たとえば、ＬＴＥコンポーネントキャリアと波形とを使用する免許不要無線周波数スペクトル帯域を介する情報の送信および受信に関するいくつかの特徴を実装するように構成され得る。
【００５２】
[0073]いくつかの例では、コントローラモジュール４１０は、システム情報ブロック（ＳＩＢ）を生成し、免許不要無線周波数スペクトル帯域を介して送信するように構成される場合がある。本明細書では、ＳＩＢは、発展型ＳＩＢ（ｅＳＩＢ）と呼ばれる場合もある。ＳＩＢは、リッスンビフォアトーク（ＬＢＴ）パラメータと、セル識別子と、無線フレーム識別子とを含む、基地局に関するパラメータを含む場合がある。ＳＩＢは、ＣＣＡ除外送信（ＣＥＴ）サブフレームなどの間の免許不要無線周波数スペクトル帯域を介して、定期的に送信され得る。いくつかの例では、ＳＩＢのうちの１つまたは複数は、免許不要無線周波数スペクトル帯域に関連付けられたコンポーネントキャリアの全帯域幅に及ぶ場合がある。
【００５３】
[0074]コントローラモジュール４１０は、追加または代替として、免許不要無線周波数スペクトル帯域にアクセスするために、拡張ＣＣＡ（ＥＣＣＡ）手順を実施するように構成される場合がある。ＥＣＣＡ手順は、ＥＣＣＡが成功したことを示すＣＣＡ成功のしきい値数（「ＥＣＣＡしきい値」）に達するまで、複数回ＣＣＡを実施することを含む場合がある。いくつかの例では、ＣＣＡ成功のしきい値数は、基地局１０５−ｂによって追跡されるような、現在の無線フレームおよび／または現在のサブフレームもしくはスロットの関数であり得る。
【００５４】
[0075]いくつかの例では、コントローラモジュール４１０は、免許不要無線周波数スペクトル帯域上でのＥＣＣＡの実施に成功した後、チャネル使用ビーコン信号（ＣＵＢＳ）境界の前に、基地局１０５−ｂをアイドル状態に維持させることができる。アイドル期間に続いて、コントローラモジュール４１０は、ＣＵＢＳ境界の直前に免許不要無線周波数スペクトル帯域上で単一のＣＣＡを実施し、単一のＣＣＡが成功するとＣＵＢＳ境界においてＣＵＢＳを送信することを基地局１０５−ｂに行わせることができる。追加または代替として、コントローラモジュール４１０は、無線フレームのサブフレーム境界またはスロット境界まで、免許不要無線周波数スペクトル帯域を介する送信を基地局１０５−ｂに遅延させることができる。このようにして、基地局１０５−ｂによる送信は、無線フレームのサブフレームおよび／またはスロットと整合され得る。
【００５５】
[0076]いくつかの例では、コントローラモジュール４１０は、免許不要無線周波数スペクトル帯域上で基地局１０５−ｂによって実施されたＥＣＣＡがＣＵＢＳ境界において成功しなかったと決定し、その決定に応答して、ＣＵＢＳ境界に続く免許不要無線周波数スペクトル帯域上でＥＣＣＡの実施を続けることができる。ＥＣＣＡの成功に達すると、基地局１０５−ｂは、免許不要無線周波数スペクトル帯域を介して送信することができる。
【００５６】
[0077]コントローラモジュール４１０は、免許不要無線周波数スペクトル帯域を介して同期信号および／または基準信号の送信を調整することもできる。場合によっては、同期信号の送信または基準信号の送信は、ＣＥＴサブフレームの間に行われる場合がある。場合によっては、基準信号の周期性は、システムフレーム番号（ＳＦＮ）のタイミングを示す場合がある。
【００５７】
[0078]コントローラモジュール４１０はさらに、ワイヤレスデバイス（たとえば、ＵＥ）が無線リソース制御（ＲＲＣ）接続または他の接続を確立または修正することを可能にするために、基地局１０５−ｂにおけるランダムアクセス手順を調整することができる。いくつかの例では、コントローラモジュール４０５は、ワイヤレスデバイス（たとえば、ＵＥ）からランダムアクセスメッセージを受信し、処理することができる。ランダムアクセスメッセージのうちの１つまたは複数は、送信側ワイヤレスデバイスに関連付けられたＣＥＴの間に受信され得る。ランダムアクセスメッセージは、免許不要無線周波数スペクトル帯域の様々な周波数領域インターレースを介して受信され得る。
【００５８】
[0079]送信機４１５は、基地局１０５−ｂの他の構成要素から受信された１つまたは複数の信号を送信することができる。たとえば、送信機４１５は、パケット、ユーザデータ、および／または様々なダウンリンクチャネル（たとえば、制御チャネル、データチャネルなど）に関連付けられた制御情報もしくはシグナリングを送信することができる。送信機４１５は、たとえば、免許不要無線周波数スペクトル帯域および／または認可無線周波数スペクトル帯域内の１つまたは複数のＬＴＥコンポーネントキャリアを使用するワイヤレス通信リンクを介して、ワイヤレスに情報を送信することができる。送信される情報は、コントローラモジュール４１０および基地局１０５−ｂの他の構成要素から受信され得る。
【００５９】
[0080]図５は、本開示の様々な態様による、ワイヤレス通信において使用するための基地局１０５−ｃのブロック図５００を示す。基地局１０５−ｃは、たとえば、図１、図２、または図４に示された基地局１０５のうちの１つであり得るし、図４を参照して記載された基地局１０５−ｂの１つまたは複数の態様の一例であり得る。図５に示された基地局１０５−ｃは、受信機４０５と、コントローラモジュール５１０と、送信機４１５とを含む。コントローラモジュール５１０は、図４を参照して記載されたコントローラモジュール４１０の１つまたは複数の態様の一例であり得る。基地局１０５−ｃはプロセッサを含む場合もあり、プロセッサは、受信機４０５、コントローラモジュール５１０、または送信機４１５の１つまたは複数の態様を実装することができる。これらの構成要素の各々は、互いに通信している場合がある。図５のコントローラモジュール５１０は、無線アクセスモジュール５０５と、システム情報ブロック（ＳＩＢ）モジュール５５０と、拡張クリアチャネルアセスメント（ＥＣＣＡ）モジュール５１５と、同期信号モジュール５２０と、基準信号モジュール５２５と、ランダムアクセスモジュール５３０とを含む。
【００６０】
[0081]受信機４０５は、図４を参照して上述されたように、様々な情報チャネル（たとえば、制御チャネル、データチャネルなど）に関連付けられたパケット、ユーザデータ、および／または制御情報などの情報を受信することができる。情報は、コントローラモジュール５１０および基地局１０５−ｃの他の構成要素に渡され得る。コントローラモジュール５１０は、図４に示されたコントローラモジュール４１０を参照して上述された動作を実行するように構成され得る。送信機４１５は、基地局１０５−ｃの他の構成要素から受信された１つまたは複数の信号を送信することができる。
【００６１】
[0082]無線アクセスモジュール５０５は、免許不要無線周波数スペクトル帯域および認可無線周波数スペクトル帯域を介して、パケット、ユーザデータ、および制御データまたはシグナリングの送信と受信とを可能にするために、受信４０５と送信機４１５とを制御することができる。たとえば、無線アクセスモジュール５０５は、図１〜図３に関して上述された手順および機能と一致する、ＬＴＥおよびＬＴＥライクの波形、または他のタイプのセルラー通信を使用して、免許不要無線周波数スペクトル帯域にアクセスし、免許不要無線周波数スペクトル帯域を介して通信することに関連する物理レイヤ手順を実施するように構成され得る。詳細には、無線アクセスモジュール５０５は、免許不要無線周波数スペクトル帯域へのアクセスを競うためにリッスンビフォアトーク（ＬＢＴ）手順の使用を調整し、免許不要無線周波数スペクトル帯域を介する他のワイヤレスデバイス（たとえば、ＵＥ）によるアップリンク送信をスケジュールすることができる。いくつかの例では、無線アクセスモジュール５０５は、受信機４０５および／または送信機４１５内に、またはその構成要素として実装される場合がある。
【００６２】
[0083]コントローラモジュール５１０のＳＩＢモジュール５５０は、受信機４０５、送信機４１５、および無線アクセスモジュール５０５と共同して、免許不要無線周波数スペクトル帯域を介する１つまたは複数のＵＥへの基地局１０５−ｃによるＳＩＢ５５０の送信を調整することができる。いくつかの例では、ＳＩＢ５５０は定期的にブロードキャストされ得るし、各ＳＩＢは、基地局１０５−ｃに関するいくつかのパラメータを含む場合がある。たとえば、ＳＩＢパラメータは、１つまたは複数のＬＢＴパラメータと、１つまたは複数のセル識別子と、１つまたは複数の無線フレーム識別子とを含む場合がある。いくつかの例では、ＳＩＢは、免許不要無線周波数スペクトル帯域に関連付けられたコンポーネントキャリアの全帯域幅に及ぶ場合がある。
【００６３】
[0084]いくつかの例では、基地局１０５−ｃは、基地局１０５−ｃに関連付けられたＣＣＡ除外送信（ＣＥＴ）サブフレームの間にＳＩＢを送信することができる。ＣＥＴサブフレームは、周期的（たとえば、８０ｍｓごと）であり得るし、ＳＩＢは、ＣＥＴの各インスタンスにおいて送信され得る。加えて、ＳＩＢモジュール５５０は、日和見的なＳＩＢ送信に関連付けられた非ＣＥＴサブフレームより前に、基地局１０５−ｃにＣＣＡを実施させることができる。ＣＣＡが非ＣＥＴサブフレームについて成功した場合、ＳＩＢモジュール５５０は、非ＣＥＴサブフレームの間に日和見的にＳＩＢを送信することができる。ＳＩＢは送信間で更新され得る。たとえば、ＳＩＢモジュール５５０は、ＳＩＢ送信の間でＬＢＴパラメータを動的に修正し、次のＣＥＴサブフレームにおいて、または日和見的なＳＩＢ送信に関連付けられた次の非ＣＥＴサブフレームにおいて日和見的に、ＳＩＢの更新バージョン（すなわち、修正されたＬＢＴパラメータを含んでいる）を送信することができる。
【００６４】
[0085]いくつかの例では、ＳＩＢは、様々な時間間隔でＳＩＢの様々な冗長バージョンを送信することができる。たとえば、ＳＩＢモジュール５５０は、ＣＥＴサブフレームの間にＳＩＢの第１の冗長バージョンが送信されること、日和見的なＳＩＢ送信に関連付けられた非ＣＥＴサブフレームの第１の間隔の間にＳＩＢの第２の冗長バージョンが送信されること、日和見的なＳＩＢ送信に関連付けられた非ＣＥＴサブフレームの間にＳＩＢの第３の冗長バージョンが送信されることなどを生じさせることができる。
【００６５】
[0086]いくつかの例では、ＳＩＢ内で基地局１０５−ｃによってシグナリングされるセル識別子は、物理セル識別子（ＰＩＤ）、事業者もしくはＰＬＭＮの識別子、セルグローバル識別子（ＣＧＩ）、および／またはそれらの組合せから構成されるグループから選択される場合がある。
【００６６】
[0087]いくつかの例では、ＳＩＢ内で送信されるＬＢＴパラメータは、基地局１０５−ｃに送信するようにスケジュールされたＵＥによって使用される、ＥＣＣＡカウンタパラメータｑを含む場合がある。スケジュールされたＵＥは、下記でより詳細に説明されるように、ＥＣＣＡの成功を示す成功したＣＣＡのしきい値数を決定するために、ＥＣＣＡカウンタパラメータｑを使用することができる。追加または代替の例では、ＳＩＢ内でシグナリングされるＬＢＴパラメータは、ＣＣＡエネルギーしきい値を含む場合がある。ＣＣＡエネルギーしきい値は、免許不要無線周波数スペクトル帯域が占有されることを示す、免許不要無線周波数スペクトル帯域上で測定されるエネルギーのしきい値量を示すことができる。追加または代替として、ＳＩＢ内でシグナリングされるＬＢＴパラメータは、基地局再同期用のガード期間を含む場合がある。場合によっては、基地局におけるＥＣＣＡ手順は、ユニキャスト送信およびブロードキャスト送信について同一であり得る。
【００６７】
[0088]いくつかの例では、ＳＩＢ内でシグナリングされる無線フレーム識別子は、システムフレーム番号（ＳＦＮ）または他の適用可能な無線フレーム識別子を含む場合がある。
【００６８】
[0089]コントローラモジュール５１０のＥＣＣＡモジュール５１５は、免許不要無線周波数スペクトル帯域上でＥＣＣＡを実施するように構成され得る。他の場所で記載されるように、ＥＣＣＡ手順は、ワイヤレスデバイス（この例では、基地局１０５−ｃ）が、成功したＣＣＡのしきい値数（「ＥＣＣＡしきい値」）に達するまで、または時間期間が経過するまで、複数の連続ＣＣＡを実施することに関与する場合がある。時間期間が経過する前にＥＣＣＡしきい値に達した場合、ＥＣＣＡは成功と考えられ、ワイヤレスデバイスは、免許不要無線周波数スペクトル帯域を介して送信するためにアクセスする。ＥＣＣＡしきい値は、個々の無線フレームｒ、サブフレームｓ、および／またはスロットの関数であり得るし、分布関数に従って１と最大しきい値との間に分布され得る。いくつかの例では、同じ事業者展開に関連するすべての基地局は、同じアルゴリズム（すなわち、分布関数）を使用して、（いつでも基地局の間でＥＣＣＡしきい値の分布をランダム化するように、互い違いの無線フレーム値、サブフレーム値、および／またはスロット値を有する）所与のサブフレームまたはスロットについてのそれらの個別のＥＣＣＡしきい値を決定することができる。たとえば、基地局１０５−ｃおよび基地局１０５−ｃと同期するデバイスの各々は、共通シードに基づく擬似乱数発生器を使用して、所与のサブフレームまたはスロットについてのそのＥＣＣＡしきい値を生成することができる。
【００６９】
[0090]挿話として、ＳＩＢ内でスケジュールされたＵＥにシグナリングされるＥＣＣＡカウンタパラメータｑは、基地局１０５−ｃへのアップリンク送信用のＥＣＣＡを実施するときに、ＵＥによって使用される最大ＥＣＣＡしきい値を示すことができる。いくつかの例では、基地局１０５−ｃに送信するようにスケジュールされたすべてのＵＥは、同じ分布関数を使用して、（いつでもスケジュールされたＵＥの間でＥＣＣＡしきい値の分布をランダム化するように、互い違いの無線フレーム値、サブフレーム値、および／またはスロット値を有する）所与のサブフレームまたはスロットについてのそれらの個別のＥＣＣＡしきい値を決定することができる。
【００７０】
[0091]ダウンリンク送信のために基地局１０５−ｃによって実施されるＥＣＣＡの説明に戻ると、ＥＣＣＡモジュール５１５は、免許不要無線周波数スペクトル帯域上でのＥＣＣＡの実施に成功した後、チャネル使用ビーコン信号（ＣＵＢＳ）境界の前に、基地局１０５−ｃをアイドル状態に維持させるように構成され得る。アイドル状態を維持することは、ＥＣＣＡの実施に成功した直後のＣＵＢＳの送信を控えることを含む場合がある。このアイドル状態は、基地局１０５−ｃと同期する他の基地局またはワイヤレスデバイス（たとえば、基地局１０５−ｃと同じ事業者または展開に関連付けられたワイヤレスデバイス）を保護することができる。ＥＣＣＡの成功直後のＣＵＢＳの送信を控えることにより、基地局１０５−ｃは、免許不要無線周波数スペクトル帯域上の基地局１０５−ｃのＣＵＢＳからの追加ノイズなしに、同期するワイヤレスデバイスが基地局１０５−ｃのＥＣＣＡの成功後にＥＣＣＡの実施を続けることを可能にすることができる。
【００７１】
[0092]ＥＣＣＡモジュール５１５は、ＣＵＢＳ境界の直前の免許不要無線周波数スペクトル帯域上で追加の単一のＣＣＡを基地局１０５−ｃに実施させることができる。単一のＣＣＡが成功した場合、基地局１０５−ｃは、ＣＵＢＳ境界においてＣＵＢＳを送信することができる。
【００７２】
[0093]追加または代替の例では、ＥＣＣＡモジュール５１５は、免許不要無線周波数スペクトル帯域上で基地局１０５−ｃによって実施されたＥＣＣＡが、ＣＵＢＳ境界に至るまで成功しなかったと決定することができる。そのような例では、ＥＣＣＡモジュール５１５は、その決定に応答して、ＣＵＢＳ境界に続く免許不要無線周波数スペクトル帯域上でのＥＣＣＡの実施を基地局１０５−ｃに続けさせることができる。もし、ＥＣＣＡがＣＵＢＳ境界の後に成功したときは、ＥＣＣＡモジュール５１５は、免許不要無線周波数スペクトル帯域を介してＣＵＢＳ送信と他の情報とを送信することができる。いくつかの例では、基地局１０５−ｃは、基地局１０５−ｃと同じ展開または事業者からの基地局または他のワイヤレスデバイスなどの、基地局１０５−ｃと同期する第２のワイヤレスデバイスによる送信と同時に、免許不要無線周波数スペクトル帯域上でのＥＣＣＡの実施を続けることができる。
【００７３】
[0094]追加または代替の例では、ＥＣＣＡモジュール５１５は、基地局１０５−ｃによる送信を、無線フレームのサブフレーム境界またはスロット境界と整合させることができる。したがって、基地局１０５−ｃが免許不要無線周波数スペクトル帯域上でのＥＣＣＡの実施に成功すると、ＥＣＣＡモジュール５１５は、少なくとも無線フレームのサブフレーム境界または無線フレームのスロット境界まで、免許不要無線周波数スペクトル帯域を介する送信を基地局１０５−ｃに遅延させることができる。次いで、基地局１０５−ｃは、サブフレーム境界またはスロット境界において送信を開始することができる。上記で説明されたように、場合によっては、基地局１０５−ｃは、別の基地局などの、少なくとも第２のワイヤレスデバイスと同期することができる。基地局１０５−ｃのサブフレーム境界および／またはスロット境界は、第２のワイヤレスデバイスの、それぞれサブフレーム境界および／またはスロット境界と実質的に整合され得る。
【００７４】
[0095]いくつかの例では、ＥＣＣＡモジュール５１５は、ユニキャスト送信とブロードキャスト送信の両方に対して同一のＥＣＣＡ手順を実施することができる。
【００７５】
[0096]コントローラモジュール５１０の同期信号モジュール５２０は、同期信号を生成し、免許不要無線周波数スペクトル帯域を介して送信するように構成され得る。いくつかの例では、１つまたは複数の同期信号は、基地局に関連付けられたＣＣＡ除外送信（ＣＥＴ）サブフレームの間の免許不要無線周波数スペクトル帯域を介して送信される場合がある。ＣＥＴサブフレームは、（たとえば、８０ｍｓの周期性を有する）周期的であり得るし、同期信号は、ＣＥＴサブフレームの各インスタンスにおいて送信され得る。同期信号は、標準ＰＳＳもしくは発展型ＰＳＳ（ｅＰＳＳ）であり得る１次同期信号（ＰＳＳ）、および／または標準ＳＳＳもしくは発展型ＳＳＳ（ｅＳＳＳ）であり得る２次同期信号（ＳＳＳ）を含む場合がある。
【００７６】
[0097]ＣＥＴサブフレームに加えて、同期信号は、日和見的な同期信号送信のためにスケジュールされた、またはさもなければ日和見的な同期信号送信に関連付けられた、１つまたは複数の非ＣＥＴサブフレームを介して日和見的に送信され得る。同期信号は、非ＣＥＴサブフレームが成功するより前にＣＣＡが実施されるときに非ＣＥＴサブフレームを介して送信され得る。
【００７７】
[0098]同期信号は、免許不要無線周波数スペクトル帯域の中心内のいくつかのリソースブロック、たとえば、無線周波数スペクトル帯域の６つの中心リソースブロックを介して送信され得る。いくつかの例では、同期信号は、サブフレームまたはスロットの１番目のシンボルおよび２番目のシンボルの間に送信される場合がある。同期信号は、各無線フレーム内のサブフレームのサブセット（たとえば、１０個の無線フレームごとのサブフレーム０およびサブフレーム５）の間に送信され得る。同期信号は、基地局１０５−ｃについての物理レイヤセル識別子（ＰＣＩ）情報、ならびにシンボル、スロット、および無線フレームの境界情報を含む場合がある。
【００７８】
[0099]コントローラモジュール５１０の基準信号モジュール５２５は、免許不要無線周波数スペクトル帯域を介する基地局１０５−ｃによる基準信号の送信を調整することができる。基準信号モジュール５２５は、たとえば、セル固有基準信号を生成し、基地局１０５−ｃに関連付けられたＣＥＴサブフレームの間の免許不要無線周波数スペクトル帯域を介してセル固有基準信号を送信することができる。セル固有基準信号（ＣＲＳ）は、発展型ＣＲＳ（ｅＣＲＳ）と呼ばれる場合もある。
【００７９】
[0100]いくつかの例では、ＣＥＴサブフレームは、（たとえば、８０ｍｓの周期性を有する）周期的であり得るし、セル固有基準信号は、ＣＥＴサブフレームの各インスタンスにおいて送信される場合がある。セル固有基準信号は、ＣＥＴサブフレームと同じ周期性（たとえば、８０ｍｓ）を有するシーケンスを使用して生成され得る。したがって、セル固有基準信号は、基地局１０５−ｃのシステムフレーム番号（ＳＦＮ）のタイミングを示すことができる。
【００８０】
[0101]ＣＥＴサブフレームに加えて、セル固有基準信号は、日和見的なセル固有基準信号送信のためにスケジュールされた、またはさもなければ日和見的なセル固有基準信号送信に関連付けられた、１つまたは複数の非ＣＥＴサブフレームを介して日和見的に送信され得る。セル固有基準信号は、非ＣＥＴサブフレームが成功するより前にＣＣＡが実施されるときに非ＣＥＴサブフレームを介して送信され得る。
【００８１】
[0102]いくつかの例では、セル固有基準信号は、サブフレームの１番目、２番目、８番目、および９番目のシンボルの間に送信される場合がある。セル固有基準信号は、いくつかの例では、無線フレームごとの２つのサブフレーム（１０個の無線フレームごとのサブフレーム０およびサブフレーム５）の間に送信される場合がある。
【００８２】
[0103]コントローラモジュール５１０のランダムアクセスモジュール５３０は、ＵＥとの無線リソース制御（ＲＲＣ）接続を確立または修正するように、ランダムアクセス手順を調整するように構成され得る。いくつかの例では、ランダムアクセスモジュール５３０は、免許不要無線周波数スペクトル帯域を介して、ワイヤレスデバイス、たとえばＵＥによって送信されるランダムアクセスメッセージを受信するように構成される場合がある。
【００８３】
[0104]いくつかの例では、ランダムアクセスメッセージは、ＵＥのＣＥＴサブフレームの間の保証されたランダムアクセス送信機会において受信される場合がある。代替として、ランダムアクセスメッセージは、ＵＥがＣＣＡの実施に成功することによって、それに対するチャネルアクセスを得た非ＣＥＴサブフレームの間に受信される場合がある。
【００８４】
[0105]ランダムアクセスメッセージは、免許不要無線周波数スペクトル帯域に関連付けられたコンポーネントキャリアの全帯域幅に及ぶランダムアクセスチャネルを介して送信され得る。ランダムアクセスモジュール５３０は、ＳＩＢモジュール５５０にＵＥが使用するための１つまたは複数のランダムアクセスパラメータを供給することができ、ＳＩＢモジュール５５０は、ＵＥがランダムアクセスメッセージを送信するより前に、免許不要無線周波数スペクトル帯域を介してＵＥにランダムアクセスパラメータをブロードキャストすることができる。ランダムアクセスパラメータは、保証されたランダムアクセス送信機会を識別するパラメータ、日和見的なランダムアクセス送信機会を識別するパラメータ、および／またはそれらの組合せを含む場合がある。
【００８５】
[0106]いくつかの例では、ランダムアクセスチャネルは、免許不要無線周波数スペクトル帯域のいくつかの周波数領域インターレースを含む場合がある。ランダムアクセスメッセージは、ＵＥによって選択されるインターレースのうちの１つを介して受信され得る。ＵＥは、場合によっては、ランダムアクセスメッセージを送信するための周波数領域インターレースをランダムに選択することができる。
【００８６】
[0107]いくつかの例では、ランダムアクセスメッセージは、ＲＲＣ接続要求メッセージ、ＲＲＣ再構成メッセージ、および／または同様のメッセージを含む場合がある。
【００８７】
[0108]基地局１０５−ｃの構成要素は、ハードウェア内の適用可能な機能の一部またはすべてを実施するように適合された１つまたは複数のＡＳＩＣを用いて、個別にまたは集合的に実装され得る。代替として、それらの機能は、１つまたは複数の集積回路上で、１つまたは複数の他の処理ユニット（またはコア）によって実施される場合がある。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用される場合がある。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【００８８】
[0109]図６は、本開示の様々な態様による、ワイヤレス通信に使用され得るＵＥ１１５−ｂのブロック図６００を示す。図６のＵＥ１１５−ｂは、たとえば、図１および図２に示されたＵＥ１１５のうちの１つであり得る。図６に示されたＵＥ１１５−ｂは、受信機６０５と、コントローラモジュール６１０と、送信機６１５とを含む。ＵＥ１１５−ｂはプロセッサを含む場合もある。これらの構成要素の各々は、互いに通信している場合がある。
【００８９】
[0110]ＵＥ１１５−ｂの構成要素は、ハードウェア内の適用可能な機能の一部またはすべてを実施するように適合された１つまたは複数のＡＳＩＣを用いて、個別にまたは集合的に実装され得る。代替として、それらの機能は、１つまたは複数の集積回路上で、１つまたは複数の他の処理ユニット（またはコア）によって実施される場合がある。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用される場合がある。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【００９０】
[0111]受信機６０５は、様々な情報チャネル（たとえば、制御チャネル、データチャネルなど）に関連付けられたパケット、ユーザデータ、および／または制御情報などの情報を受信することができる。受信機６０５は、たとえば、免許不要無線周波数スペクトル帯域および／または認可無線周波数スペクトル帯域内の１つまたは複数のＬＴＥコンポーネントキャリアを使用するワイヤレス通信リンクを介して、ワイヤレスに情報を受信することができる。情報は、コントローラモジュール６１０およびＵＥ１１５−ｂの他の構成要素に渡され得る。
【００９１】
[0112]コントローラモジュール６１０は、たとえば、ＬＴＥコンポーネントキャリアと波形とを使用する免許不要無線周波数スペクトル帯域を介する情報の送信および受信に関するいくつかの特徴を実装するように構成され得る。
【００９２】
[0113]いくつかの例では、コントローラモジュール６１０は、免許不要無線周波数スペクトル帯域を介して基地局からＳＩＢを受信するように構成される場合がある。ＳＩＢは、ＬＢＴパラメータと、セル識別子と、無線フレーム識別子とを含む、基地局に関するパラメータを含む場合がある。ＳＩＢは、基地局のＣＥＴサブフレームなどの間の免許不要無線周波数スペクトル帯域を介して、定期的に受信され得る。いくつかの例では、ＳＩＢのうちの１つまたは複数は、免許不要無線周波数スペクトル帯域に関連付けられたコンポーネントキャリアの全帯域幅に及ぶ場合がある。
【００９３】
[0114]コントローラモジュール６１０は、追加または代替として、免許不要無線周波数スペクトル帯域にアクセスするために、ＥＣＣＡ手順を実施するように構成される場合がある。ＥＣＣＡ手順は、ＥＣＣＡが成功したことを示すＣＣＡ成功のしきい値数（「ＥＣＣＡしきい値」）に達するまで、複数回ＣＣＡを実施することを含む場合がある。いくつかの例では、ＣＣＡ成功のしきい値数は、ＵＥ１１５−ｂによって追跡されるような、現在の無線フレームおよび／または現在のサブフレームもしくはスロットの関数であり得る。
【００９４】
[0115]いくつかの例では、コントローラモジュール６１０は、免許不要無線周波数スペクトル帯域上でのＥＣＣＡの実施に成功した後、ＣＵＢＳ境界の前に、ＵＥ１１５−ｂをアイドル状態に維持させることができる。アイドル期間に続いて、コントローラモジュール６１０は、ＣＵＢＳ境界の直前に免許不要無線周波数スペクトル帯域上で単一のＣＣＡを実施し、単一のＣＣＡが成功するとＣＵＢＳ境界においてＣＵＢＳを送信することを、ＵＥ１１５−ｂに行わせることができる。追加または代替として、コントローラモジュール６１０は、無線フレームのサブフレーム境界またはスロット境界まで、免許不要無線周波数スペクトル帯域を介する送信をＵＥ１１５−ｂに遅延させることができる。このようにして、ＵＥ１１５−ｂによる送信は、無線フレームのサブフレームおよび／またはスロットと整合され得る。
【００９５】
[0116]いくつかの例では、コントローラモジュール６１０は、免許不要無線周波数スペクトル帯域上でＵＥ１１５−ｂによって実施されたＥＣＣＡがＣＵＢＳ境界において成功しなかったと決定し、その決定に応答して、ＣＵＢＳ境界に続く免許不要無線周波数スペクトル帯域上でＥＣＣＡの実施を続けるように構成される場合がある。ＥＣＣＡの成功に達すると、ＵＥ１１５−ｂは、免許不要無線周波数スペクトル帯域を介して送信することができる。
【００９６】
[0117]コントローラモジュール６１０はまた、免許不要無線周波数スペクトル帯域を介して同期信号および／または基準信号を受信することを調整するように構成され得る。場合によっては、同期信号または基準信号は、基地局のＣＥＴサブフレームの間に受信され得る。場合によっては、コントローラモジュール６１０は、受信された基準信号の周期性に基づいて、システムフレーム番号（ＳＦＮ）のタイミングを決定することができる。
【００９７】
[0118]コントローラモジュール６１０はまた、データ送信とサブフレーム境界またはスロット境界との整合に基づいて、サブフレームまたはスロットの最終シンボルの間の免許不要無線周波数スペクトル帯域上のダウンリンクＣＵＢＳを検出し、検出されたＣＵＢＳに基づいて次のサブフレームまたはスロット内でダウンリンクデータが送信されると決定し、次のサブフレームまたはスロット内のダウンリンクデータを受信するように構成され得る。いくつかの例では、コントローラモジュール６１０は、検出されたＣＵＢＳに基づいて無線フレームのＴＤＤ比を決定することができる。
【００９８】
[0119]いくつかの例では、コントローラモジュール６１０は、免許不要無線周波数スペクトル帯域を介してダウンリンクＣＥＴを受信し、ダウンリンクＣＥＴのタイミングを決定し、ダウンリンクＣＥＴの決定されたタイミングに従ってアップリンクＣＥＴを送信するように、さらに構成される場合がある。
【００９９】
[0120]コントローラモジュール６１０は、ＲＲＣ接続または他の接続を確立または修正するように、ＵＥにおけるランダムアクセス手順を調整するようにさらに構成され得る。いくつかの例では、コントローラモジュール６１０は、ランダムアクセスメッセージを生成し、免許不要無線周波数スペクトル帯域を介してランダムアクセスメッセージを送信することができる。ランダムアクセスメッセージは、ＵＥのＣＥＴサブフレームの間に、または日和見的に非ＣＥＴサブフレームの間に送信され得る。場合によっては、コントローラモジュール６１０は、免許不要無線周波数スペクトル帯域のいくつかの周波数領域インターレースのうちの１つを選択することができ、ここで、各周波数領域インターレースは、ランダムアクセスチャネルに関連付けられ、選択された周波数領域インターレースを介してランダムアクセスメッセージを送信している。
【０１００】
[0121]コントローラモジュール６１０は、追加または代替として、免許不要無線周波数スペクトル帯域を介する通信リンクに関連付けられた１組のチャネルパラメータを識別し、１組のチャネルパラメータに基づいてＯＦＤＭ送信モードとＳＣ−ＦＤＭＡ送信モードとの間を選択し、選択された送信モードに従って免許不要無線周波数スペクトル帯域を介して送信するように構成される場合がある。
【０１０１】
[0122]送信機６１５は、ＵＥ１１５−ｂの他の構成要素から受信された１つまたは複数の信号を送信することができる。たとえば、送信機６１５は、パケット、ユーザデータ、および／または様々なアップリンクチャネル（たとえば、制御チャネル、データチャネルなど）に関連付けられた制御情報もしくはシグナリングを送信することができる。送信機６１５は、たとえば、免許不要無線周波数スペクトル帯域および／または認可無線周波数スペクトル帯域内の１つまたは複数のＬＴＥコンポーネントキャリアを使用するワイヤレス通信リンクを介して、ワイヤレスに情報を送信することができる。たとえば、送信機６１５は、基地局１０５へのアップリンク接続上でデータを送信することができる。送信される情報は、コントローラモジュール６１０およびＵＥ１１５−ｂの他の構成要素から受信され得る。
【０１０２】
[0123]図７は、本開示の様々な態様による、ワイヤレス通信に使用され得るＵＥ１１５−ｃのブロック図７００を示す。図７のＵＥ１１５−ｃは、たとえば、図１、図２、または図６に示されたＵＥ１１５のうちの１つであり得るし、図６を参照して記載されたＵＥ１１５−ｂの１つまたは複数の態様の一例であり得る。図７に示されたＵＥ１１５−ｃは、受信機６０５と、コントローラモジュール７１０と、送信機６１５とを含む。ＵＥ１１５−ｃはプロセッサを含む場合もある。これらの構成要素の各々は、互いに通信している場合がある。図７のコントローラモジュール７１０は、無線アクセスモジュール７０５と、システム情報ブロック（ＳＩＢ）モジュール７５０と、ＥＣＣＡモジュール７１５と、同期信号モジュール７２０と、基準信号モジュール７２５と、ダウンリンクＣＵＢＳ（Ｄ−ＣＵＢＳ）モジュール７３０と、アップリンクＣＥＴタイミングモジュール７３５と、ランダムアクセスモジュール７４０と、アップリンク送信モードモジュール７４５とを含む。
【０１０３】
[0124]ＵＥ１１５−ｃの構成要素は、ハードウェア内の適用可能な機能の一部またはすべてを実施するように適合された１つまたは複数のＡＳＩＣを用いて、個別にまたは集合的に実装され得る。代替として、それらの機能は、１つまたは複数の集積回路上で、１つまたは複数の他の処理ユニット（またはコア）によって実施される場合がある。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用される場合がある。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【０１０４】
[0125]受信機６０５は、上述されたように、様々な情報チャネル（たとえば、制御チャネル、データチャネルなど）に関連付けられたパケット、ユーザデータ、および／または制御情報などの情報を受信することができる。情報は、コントローラモジュール７１０およびＵＥ１１５−ｃの他の構成要素に渡され得る。コントローラモジュール７１０は、図６を参照して記載されたコントローラモジュール６１０の１つまたは複数の態様の一例であり得る。コントローラモジュール７１０は、図６に示されたコントローラモジュール６１０を参照して上述された動作を実行するように構成され得る。送信機６１５は、上述されたように、ＵＥ１１５−ｃの他の構成要素から受信された１つまたは複数の信号を送信することができる。
【０１０５】
[0126]無線アクセスモジュール７０５は、免許不要無線周波数スペクトル帯域および認可無線周波数スペクトル帯域を介して、パケット、ユーザデータ、および制御データまたはシグナリングの送信と受信とを可能にするために、受信機６０５と送信機６１５とを制御することができる。たとえば、無線アクセスモジュール７０５は、図１〜図３に関して上述された手順および機能と一致する、ＬＴＥおよびＬＴＥライクの波形、または他のタイプのセルラー通信を使用して、免許不要無線周波数スペクトル帯域にアクセスし、免許不要無線周波数スペクトル帯域を介して通信することに関連する物理レイヤ手順を実施するように構成され得る。詳細には、無線アクセスモジュール７０５は、免許不要無線周波数スペクトル帯域へのアクセスを競うためにＬＢＴ手順の使用を調整し、免許不要無線周波数スペクトル帯域を介する他のワイヤレスデバイス（たとえば、ＵＥ）によるアップリンク送信をスケジュールすることができる。いくつかの例では、無線アクセスモジュール７０５は、受信機６０５および／または送信機６１５内に、またはその構成要素として実装される場合がある。
【０１０６】
[0127]コントローラモジュール７１０のＳＩＢモジュール７５０は、受信機６０５および無線アクセスモジュール７０５と共同して、免許不要無線周波数スペクトル帯域を介して基地局１０５−ｃからＳＩＢ７５０を受信することができる。いくつかの例では、ＳＩＢ７５０は定期的にブロードキャストされ得るし、各ＳＩＢは、基地局に関するいくつかのパラメータを含む場合がある。たとえば、ＳＩＢパラメータは、１つまたは複数のＬＢＴパラメータと、１つまたは複数のセル識別子と、１つまたは複数の無線フレーム識別子とを含む場合がある。いくつかの例では、ＳＩＢは、免許不要無線周波数スペクトル帯域に関連付けられたコンポーネントキャリアの全帯域幅に及ぶ場合がある。
【０１０７】
[0128]いくつかの例では、ＳＩＢは、基地局に関連付けられたＣＥＴサブフレームの間に受信され得る。ＣＥＴサブフレームは、周期的（たとえば、８０ｍｓごと）であり得るし、ＳＩＢは、ＣＥＴの各インスタンスにおいて受信され得る。加えて、ＳＩＢモジュール７５０は、日和見的なＳＩＢ送信に関連付けられた非ＣＥＴサブフレームにおいて受信され得る。ＳＩＢは、送信間に更新され得るし、ＳＩＢ内のパラメータを変更すると、ＵＥ１１５−ｃにおける動作が修正される結果になり得る。たとえば、ＳＩＢモジュール７５０は、ＳＩＢ内で受信された少なくとも１つのＬＢＴパラメータに基づいて、ＬＢＴ動作を調整することができる。
【０１０８】
[0129]いくつかの例では、ＳＩＢは、様々な時間間隔でＳＩＢの様々な冗長バージョンを含んでいる場合がある。たとえば、ＳＩＢの第１の冗長バージョンは、ＣＥＴサブフレームの間に受信され得るし、ＳＩＢの第２の冗長バージョンは、日和見的なＳＩＢ送信に関連付けられた非ＣＥＴサブフレームの第１の間隔の間に受信され得るし、ＳＩＢの第３の冗長バージョンは、日和見的なＳＩＢ送信に関連付けられた非ＣＥＴサブフレームの間に受信され得るなどである。
【０１０９】
[0130]いくつかの例では、ＳＩＢ内でシグナリングされるセル識別子は、物理セル識別子（ＰＩＤ）、事業者もしくはＰＬＭＮの識別子、セルグローバル識別子（ＣＧＩ）、および／またはそれらの組合せから構成されるグループから選択される場合がある。
【０１１０】
[0131]いくつかの例では、ＳＩＢ内で受信されるＬＢＴパラメータは、基地局に送信するためＵＥ１１５−ｃによって使用されるＥＣＣＡカウンタパラメータｑを含む場合がある。スケジュールされたＵＥ１１５−ｃは、下記でより詳細に説明されるように、ＥＣＣＡの成功を示す成功したＣＣＡのしきい値数（「ＥＣＣＡしきい値」）を決定するために、ＥＣＣＡカウンタパラメータｑを使用することができる。追加または代替の例では、ＳＩＢ内でシグナリングされるＬＢＴパラメータは、ＣＣＡエネルギーしきい値を含む場合がある。ＣＣＡエネルギーしきい値は、免許不要無線周波数スペクトル帯域が占有されることを示す、免許不要無線周波数スペクトル帯域上で測定されるエネルギーのしきい値量を示すことができる。追加または代替として、ＳＩＢ内でシグナリングされるＬＢＴパラメータは、基地局再同期用のガード期間を含む場合がある。
【０１１１】
[0132]いくつかの例では、ＳＩＢ内でシグナリングされる無線フレーム識別子は、システムフレーム番号（ＳＦＮ）または他の適用可能な無線フレーム識別子を含む場合がある。
【０１１２】
[0133]コントローラモジュール７１０のＥＣＣＡモジュール７１５は、免許不要無線周波数スペクトル帯域上でＥＣＣＡを実施するように構成され得る。他の場所で記載されるように、ＥＣＣＡ手順は、ワイヤレスデバイス（この例では、ＵＥ１１５−ｃ）が、成功したＣＣＡのしきい値数（「ＥＣＣＡしきい値」）に達するまで、または時間期間が経過するまで、複数の連続ＣＣＡを実施することに関与する場合がある。時間期間が経過する前にＥＣＣＡしきい値に達した場合、ＥＣＣＡは成功と考えられ、ワイヤレスデバイスは、免許不要無線周波数スペクトル帯域を介して送信するためにアクセスする。ＥＣＣＡしきい値は、個々の無線フレームｒ、サブフレームｓ、および／またはスロットの関数であり得るし、分布関数に従って１と最大しきい値との間に分布され得る。いくつかの例では、ＵＥ１１５−ｃと同期するすべてのワイヤレスデバイス（たとえば、同じ事業者または展開に関連するすべてのＵＥ）は、同じアルゴリズム（すなわち、分布関数）を使用して、（いつでもＵＥの間でＥＣＣＡしきい値の分布をランダム化するように、互い違いの無線フレーム値、サブフレーム値、および／またはスロット値を有する）所与のサブフレームまたはスロットについてのそれらの個別のＥＣＣＡしきい値を決定することができる。たとえば、ＵＥ１１５−ｃと同期するＵＥ１１５−ｃおよびワイヤレスデバイスの各々は、共通シードに基づく擬似乱数発生器を使用して、所与のサブフレームまたはスロットについてのそのＥＣＣＡしきい値を生成することができる。
【０１１３】
[0134]ＥＣＣＡモジュール７１５は、免許不要無線周波数スペクトル帯域上でのＥＣＣＡの実施に成功した後、ＣＵＢＳ境界の前に、ＵＥ１１５−ｃをアイドル状態に維持させるように、さらに構成され得る。アイドル状態を維持することは、ＥＣＣＡの実施に成功した直後のＣＵＢＳの送信を控えることを含む場合がある。このアイドル状態は、ＵＥ１１５−ｃと同期する他のＵＥまたはワイヤレスデバイスを保護することができる。ＥＣＣＡの成功直後のＣＵＢＳの送信を控えることにより、ＵＥ１１５−ｃは、免許不要無線周波数スペクトル帯域上のＵＥ１１５−ｃのＣＵＢＳからの追加ノイズなしに、同期するワイヤレスデバイスがＵＥ１１５−ｃのＥＣＣＡの成功後にＥＣＣＡの実施を続けることを可能にすることができる。ＥＣＣＡモジュール７１５は、ＣＵＢＳ境界の直前の免許不要無線周波数スペクトル帯域上で追加の単一のＣＣＡをＵＥ１１５−ｃに実施させることができる。単一のＣＣＡが成功した場合、ＵＥ１１５−ｃは、ＣＵＢＳ境界においてＣＵＢＳを送信することができる。
【０１１４】
[0135]追加または代替の例では、ＥＣＣＡモジュール７１５は、免許不要無線周波数スペクトル帯域上でＵＥ１１５−ｃによって実施されたＥＣＣＡがＣＵＢＳ境界に至るまで成功しなかったと決定することができる。そのような例では、ＥＣＣＡモジュール７１５は、その決定に応答して、ＣＵＢＳ境界に続く免許不要無線周波数スペクトル帯域上でのＥＣＣＡの実施をＵＥ１１５−ｃに続けさせることができる。もし、ＥＣＣＡがＣＵＢＳ境界の後に成功したときは、ＥＣＣＡモジュール７１５は、免許不要無線周波数スペクトル帯域を介してＣＵＢＳ送信と他の情報とを送信することができる。いくつかの例では、ＵＥ１１５−ｃは、ＵＥ１１５−ｃと同じ展開または事業者からの基地局または他のワイヤレスデバイスなどの、ＵＥ１１５−ｃと同期する第２のワイヤレスデバイスによる送信と同時に、免許不要無線周波数スペクトル帯域上でのＥＣＣＡの実施を続けることができる。
【０１１５】
[0136]追加または代替の例では、ＥＣＣＡモジュール７１５は、ＵＥ１１５−ｃによる送信を、無線フレームのサブフレーム境界またはスロット境界と整合させることができる。したがって、ＵＥ１１５−ｃが免許不要無線周波数スペクトル帯域上でのＥＣＣＡの実施に成功すると、ＥＣＣＡモジュール７１５は、少なくとも無線フレームのサブフレーム境界または無線フレームのスロット境界まで、免許不要無線周波数スペクトル帯域を介する送信をＵＥ１１５−ｃに遅延させることができる。次いで、ＵＥ１１５−ｃは、サブフレーム境界またはスロット境界において送信を開始することができる。上記で説明されたように、場合によっては、ＵＥ１１５−ｃは、別のＵＥなどの、少なくとも第２のワイヤレスデバイスと同期することができる。ＵＥ１１５−ｃのサブフレーム境界および／またはスロット境界は、第２のワイヤレスデバイスの、それぞれサブフレーム境界および／またはスロット境界と実質的に整合され得る。
【０１１６】
[0137]コントローラモジュール７１０の同期信号モジュール７２０は、免許不要無線周波数スペクトル帯域を介して同期信号を受信するように構成され得る。いくつかの例では、１つまたは複数の同期信号は、基地局に関連付けられたＣＥＴサブフレームの間の免許不要無線周波数スペクトル帯域を介して受信され得る。ＣＥＴサブフレームは、（たとえば、８０ｍｓの周期性を有する）周期的であり得るし、同期信号は、ＣＥＴサブフレームの各インスタンスにおいて受信され得る。同期信号は、標準ＰＳＳもしくは発展型ＰＳＳ（ｅＰＳＳ）であり得る１次同期信号（ＰＳＳ）、および／または標準ＳＳＳもしくは発展型ＳＳＳ（ｅＳＳＳ）であり得る２次同期信号（ＳＳＳ）を含む場合がある。
【０１１７】
[0138]ＣＥＴサブフレームに加えて、同期信号は、日和見的な同期信号送信のためにスケジュールされた、またはさもなければ日和見的な同期信号送信に関連付けられた、１つまたは複数の非ＣＥＴサブフレームを介して受信され得る。同期信号は、非ＣＥＴサブフレームが成功するより前に基地局によってＣＣＡが実施されると、非ＣＥＴサブフレームを介して受信され得る。
【０１１８】
[0139]同期信号は、免許不要無線周波数スペクトル帯域の中心内のいくつかのリソースブロック、たとえば、無線周波数スペクトル帯域の６つの中心リソースブロックを介して受信され得る。いくつかの例では、同期信号は、サブフレームまたはスロットの１番目のシンボルおよび２番目のシンボルの間に受信され得る。同期信号は、各無線フレーム内のサブフレームのサブセット（たとえば、１０個の無線フレームごとのサブフレーム０およびサブフレーム５）の間に受信され得る。同期信号は、基地局についてのＰＣＩ情報、ならびにシンボル、スロット、および無線フレームの境界情報を含む場合がある。
【０１１９】
[0140]コントローラモジュール７１０の基準信号モジュール７２５は、免許不要無線周波数スペクトル帯域を介して基地局から基準信号を受信することを調整するように構成され得る。基準信号モジュール７２５は、たとえば、基地局に関連付けられたＣＥＴサブフレームの間の免許不要無線周波数スペクトル帯域を介してセル固有基準信号を受信することができる。セル固有基準信号（ＣＲＳ）は、発展型ＣＲＳ（ｅＣＲＳ）と呼ばれる場合もある。
【０１２０】
[0141]いくつかの例では、ＣＥＴサブフレームは、（たとえば、８０ｍｓの周期性を有する）周期的であり得るし、セル固有基準信号は、ＣＥＴサブフレームの各インスタンスにおいて受信される場合がある。セル固有基準信号は、ＣＥＴサブフレームと同じ周期性（たとえば、８０ｍｓ）を有するシーケンスを使用して生成され得る。したがって、基準信号モジュール７２５は、場合によっては、セル固有基準信号の周期性に基づいて、システムフレーム番号（ＳＦＮ）のタイミングを決定するように構成され得る。
【０１２１】
[0142]基地局のＣＥＴサブフレームに加えて、セル固有基準信号は、日和見的なセル固有基準信号送信のためにスケジュールされた、またはさもなければ日和見的なセル固有基準信号送信に関連付けられた、基地局の１つまたは複数の非ＣＥＴサブフレームを介して日和見的に受信され得る。セル固有基準信号は、非ＣＥＴサブフレームが成功するより前に基地局によってＣＣＡが実施されると、基地局の非ＣＥＴサブフレームを介して受信され得る。
【０１２２】
[0143]いくつかの例では、セル固有基準信号は、サブフレームの１番目、２番目、８番目、および９番目のシンボルの間に受信され得る。セル固有基準信号は、いくつかの例では、無線フレームごとの２つのサブフレーム（１０個の無線フレームごとのサブフレーム０およびサブフレーム５）の間に受信される場合がある。
【０１２３】
[0144]コントローラモジュール７１０のＤ−ＣＵＢＳモジュール７３０は、サブフレームまたはスロットの最終シンボルの間の免許不要無線周波数スペクトル帯域上で、別のワイヤレスデバイス（たとえば、基地局）からのＣＵＢＳを検出するように構成され得る。Ｄ−ＣＵＢＳモジュール７３０は、検出されたＣＵＢＳに基づいて、次のサブフレームまたはスロット内でダウンリンクデータが送信されると決定し、次のサブフレームまたはスロット内のダウンリンクデータの受信を調整するように、さらに構成され得る。この決定は、ネットワーク内の送信がサブフレーム境界およびスロット境界と整合されているという知識に基づく場合がある。いくつかの例では、ダウンリンクＣＵＢＳは、免許不要無線周波数スペクトル帯域のコンポーネントキャリア全体の帯域幅に及ぶ場合がある。ダウンリンクＣＵＢＳに使用されるシーケンスは、セル固有基準信号のシーケンスに基づく場合がある。いくつかの例では、Ｄ−ＣＵＢＳモジュール７３０は、検出されたＣＵＢＳに基づいて無線フレームのＴＤＤダウンリンク対アップリンク比を決定するように構成される場合がある。
【０１２４】
[0145]コントローラモジュール７１０のアップリンクＣＥＴタイミングモジュール７３５は、免許不要無線周波数スペクトル帯域を介してダウンリンクＣＥＴ送信を受信することを調整するように構成され得る。アップリンクＣＥＴタイミングモジュール７３５は、ダウンリンクＣＥＴの観測されたタイミングを決定し、ダウンリンクＣＥＴのタイミングに基づいて、アップリンクＣＥＴがＵＥ１１５−ｃによって送信されるべきタイミングを決定することができる。次いで、アップリンクＣＥＴタイミングモジュール７３５は、決定されたダウンリンクＣＥＴの観測されたタイミングおよびアップリンクＣＥＴの転嫁されたタイミングに従って、免許不要無線周波数スペクトル帯域を介してＵＥ１１５−ｃにアップリンクＣＥＴを送信させることができる。いくつかの例では、アップリンクＣＥＴタイミングモジュールは、ダウンリンクＣＥＴとアップリンクＣＥＴとの間の既知または固定のオフセットに基づいて、アップリンクＣＥＴのタイミングを決定することができる。アップリンクＣＥＴは、スケジューリング要求（ＳＲ）、サウンディング基準信号（ＳＲＳ）、物理アップリンク制御チャネル（ＰＵＣＣＨもしくは拡張ＰＵＣＣＨ（ｅＰＵＣＣＨ））、物理ランダムアクセスチャネル（ＰＲＡＣＨもしくは拡張ＰＲＡＣＨ（ｅＰＲＡＣＨ））、および／または他の信号もしくはチャネルを含む場合がある。
【０１２５】
[0146]コントローラモジュール７１０のランダムアクセスモジュール７４０は、ネットワークとのＲＲＣ接続を確立または修正するように、ランダムアクセス手順を調整するように構成され得る。いくつかの例では、ランダムアクセスモジュール７４０は、ランダムアクセスメッセージを生成し、免許不要無線周波数スペクトル帯域を介してランダムアクセスメッセージを送信するように構成される場合がある。
【０１２６】
[0147]いくつかの例では、ランダムアクセスメッセージは、ＵＥ１１５−ｃのＣＥＴサブフレームの間の保証されたランダムアクセス送信機会において送信される場合がある。代替として、ランダムアクセスメッセージは、ＵＥ１１５−ｃがＣＣＡの実施に成功することによって、それに対するチャネルアクセスを得た、ＵＥ１１５−ｃの非ＣＥＴサブフレームの間に送信される場合がある。
【０１２７】
[0148]ランダムアクセスメッセージは、免許不要無線周波数スペクトル帯域に関連付けられたコンポーネントキャリアの全帯域幅に及ぶランダムアクセスチャネルを介して送信され得る。ランダムアクセスモジュール７４０は、ＵＥ１１５−ｃがランダムアクセスメッセージを送信するより前に、免許不要無線周波数スペクトル帯域を介して基地局によってブロードキャストされたＳＩＢから、１つまたは複数のランダムアクセスパラメータを受信することができる。ランダムアクセスパラメータは、保証されたランダムアクセス送信機会を識別するパラメータ、日和見的なランダムアクセス送信機会を識別するパラメータ、および／またはそれらの組合せを含む場合がある。
【０１２８】
[0149]いくつかの例では、ランダムアクセスチャネルは、免許不要無線周波数スペクトル帯域のいくつかの周波数領域インターレースを含む場合がある。ＵＥ１１５−ｃは、ランダムアクセスメッセージを送信するためにインターレースのうちの１つを選択することができる。ＵＥ１１５−ｃは、場合によっては、ランダムに周波数領域インターレースを選択することができる。いくつかの例では、ランダムアクセスメッセージは、ＲＲＣ接続要求メッセージ、ＲＲＣ再構成メッセージ、および／または同様のメッセージを含む場合がある。
【０１２９】
[0150]コントローラモジュール７１０のアップリンク送信モードモジュール７４５は、免許不要無線周波数スペクトル帯域を介する通信リンクに関連付けられた１組のチャネルパラメータを識別するように構成され得る。チャネルパラメータに基づいて、アップリンク送信モードモジュール７４５は、ＵＥ１１５−ｃ用のアップリンク送信モードを選択することができる。送信モードは、ＯＦＤＭ送信モードおよびＳＣ−ＦＤＭＡ送信モードから選択され得る。
【０１３０】
[0151]たとえば、１組のチャネルパラメータは、通信リンクがＭＩＭＯ送信用に構成されたかどうかを示すＭＩＭＯパラメータを含む場合がある。ＭＩＭＯが使用中であるとき、アップリンク送信モードモジュール７４５は、ＵＥ１１５−ｃのためにＯＦＤＭ送信モードを選択することができる。同様に、チャネルパラメータは、通信リンクの変調およびコーディング方式がしきい値よりも大きいことを示す変調パラメータを含む場合がある。しきい値よりも大きい変調およびコーディング方式の場合、アップリンク送信モードモジュール７４５は、ＵＥ１１５−ｃのためにＯＦＤＭ送信モードを選択することができる。より低次の変調およびコーディング方式の場合、またはＭＩＭＯが使用中ではないシナリオの場合、アップリンク送信モードモジュール７４５は、ＵＥ１１５−ｃによるアップリンク送信のためにＳＣ−ＦＤＭＡ送信モードを選択することができる。いくつかの例では、通信のアップリンク送信モードは、通信リンクのダウンリンク送信モードと一致するように選択される場合がある。
【０１３１】
[0152]図８は、本開示の様々な態様による、免許不要無線周波数スペクトル帯域を介するＣＥＴサブフレーム８０５の間の複数のパラメータの送信を示すタイミング図８００を示す。パラメータは、基地局、ＵＥ、基地局とＵＥとの間の送信などに関する場合があり、（単にシステム情報ブロックまたはＳＩＢと呼ばれる場合もある）発展型システム情報ブロック（ｅＳＩＢ）、（基地局において生成され得る）発展型１次同期信号（ｅＰＳＳ）および発展型２次同期信号（ｅＳＳＳ）、発展型共通基準信号または発展型セル固有基準信号（ｅＣＲＳ）などのうちの１つまたは複数を含む場合がある。いくつかの例では、ｅＳＩＢは、セル発見用のシステム情報を提供することができ、（ＥＣＣＡカウンタパラメータ、ＣＣＡエネルギーしきい値、基地局再同期用のガード期間、またはそれらの何らかの組合せなどの）ＬＢＴパラメータ、（物理セル識別子（ＰＩＤ）、事業者（たとえば、ＰＬＭＮ事業者）識別子、セルグローバル識別子（ＣＧＩ）、またはそれらの何らかの組合せなどの）セル識別子、（システムフレーム番号（ＳＦＮ）などの）無線フレーム識別子、およびタイミングなどを含む場合がある。したがって、いくつかの例では、（スタンドアロン実装用の）アクセスパラメータと（キャリアアグリゲーション実装用の）ＬＢＴ／ＣＣＡパラメータの両方を送るために、単一のＣＥＴサブフレームが使用される場合がある。
【０１３２】
[0153]述べたように、ＬＢＴ／ＣＣＡパラメータは、送信側装置がＣＵＢＳを開始し、免許不要無線周波数スペクトル帯域チャネルを介して送信を開始することができる前の、成功したＣＣＡの数を定義するＥＣＣＡカウンタパラメータを含む場合がある。ＥＣＣＡカウンタパラメータについての全体の最大値ｑは、ｅＳＩＢ内で定義され、通知される場合がある。フレーム／サブフレーム固有ＥＣＣＡカウンタＮは、固有のフレーム／サブフレームにおいて使用され得るし、Ｎは１から全体の最大値ｑまでの範囲である。本明細書では、「フレーム／サブフレーム固有ＥＣＣＡカウンタ」は、前の図（図４〜図７）に関して記載された「ＥＣＣＡしきい値」を指す。フレーム／サブフレーム固有ＥＣＣＡカウンタＮは、（たとえば、無線フレーム識別子に基づく）フレームおよび／またはサブフレーム（たとえば、サブフレーム識別子）の関数であり得る。フレーム／サブフレーム固有ＥＣＣＡカウンタＮは、時間とともに変化する場合があり、いくつかの例では、１とｑとの間でランダムに分布される場合がある。フレーム／サブフレーム固有ＥＣＣＡカウンタＮは、基地局（たとえば、ｅＮＢ）によって計算され得るし、単一のＰＬＭＮからのすべての基地局は、同一ではあるが、時間変化するフレーム／サブフレーム固有ＥＣＣＡカウンタＮを有することができる。共通カウンタＮは、基地局によって共有されたシードに基づく擬似乱数発生器であり得る、共有されたアルゴリズムを使用して導出され得る。
【０１３３】
[0154]ＬＢＴ／ＣＣＡパラメータは、ＣＣＡが成功したと見なされるしきい値を定義し、同様にｅＳＩＢ内で通知され得る、ＣＣＡエネルギーしきい値を含む場合もある。ＬＢＴ／ＣＣＡパラメータは、基地局再同期用の期間を定義することができ、同様にｅＳＩＢ内で通知され得る、ガード期間を含む場合もある。
【０１３４】
[0155]図８に示されたように、ＣＥＴサブフレーム８０５は、免許不要無線周波数スペクトル帯域に関連付けられ得るし、８０ｍｓごとなどのある特定の間隔で基地局によって送信され、基地局の範囲内のＵＥによって受信され得る。ＣＥＴサブフレーム８０５は、比較的短く、たとえば、図８に示されたように１ｍｓであり得る。一例では、図８に示されたように、たとえばｅＳＩＢを含むＣＥＴ送信サブフレームは、８０ｍｓ間隔の始めに（たとえば、サブフレーム０内で）送信され得る。ＣＥＴサブフレーム８０５の送信は、したがって周期的であり、いくつかの例では、ｅＳＩＢなどのパラメータのうちの１つまたは複数は、ＣＥＴの各インスタンスにおいて基地局によって送信され得る。
【０１３５】
[0156]上述されたように、いくつかの例では、ＣＥＴサブフレーム８０５の間に送信されるパラメータのうちのいくつかは、ＣＥＴサブフレーム８０５の間のある特定の時間に日和見的に送信される場合もある。たとえば、ｅＳＩＢは、いくつかの例では、ＣＣＡが成功した場合、基地局が非ＣＥＴサブフレームより前にＣＣＡを実施した後、非ＣＥＴサブフレーム内で送信される場合がある。ｅＳＩＢのそのような非ＣＥＴ送信は、図８に示された８０ｍｓ間隔の２０ｍｓ、４０ｍｓ、および６０ｍｓのマーカーなどの、あらかじめ定義された間隔であり得る。ｅＳＩＢの非ＣＥＴ送信は、動的に修正されたＬＢＴパラメータを通信するため、および／または様々な時間間隔でｅＳＩＢの様々な冗長バージョンを供給するために使用され得る。
【０１３６】
[0157]まだ図８を参照すると、一例では、ＣＥＴサブフレーム８０５の間の（ｅＳＩＢなどの）パラメータのうちの１つまたは複数の送信は、免許不要無線周波数スペクトル帯域に関連付けられたコンポーネントキャリアの全帯域幅に及ぶ場合がある。たとえば、ｅＳＩＢは、２．４ＧＨｚ帯域または５ＧＨｚ帯域用の２０ＭＨｚコンポーネントキャリア全体、３．５ＧＨｚ帯域用の１０ＭＨｚコンポーネントキャリア全体、９００ＭＨｚ帯域用の５ＭＨｚコンポーネントキャリア全体などを使用して送信され得る。
【０１３７】
[0158]図９は、本開示の様々な態様による、特定のＴＤＤ構成用の複数のサブフレームを定義する無線フレーム９０５の図９００を示す。図９において、無線フレーム９０５は１０個のサブフレームを含み、サブフレーム０、１、２、３、４、および５はダウンリンクサブフレームであり、サブフレーム６は、（短縮ダウンリンクサブフレーム９１０と、ＥＣＣＡ期間９１５と、Ｕ−ＣＵＢＳ期間９２０とを含む特殊サブフレームであり、サブフレーム７および８はアップリンクサブフレームであり、サブフレーム９は、（短縮アップリンクサブフレーム９２５と、ＥＣＣＡ期間９３０と、Ｕ−ＣＵＢＳ期間９３５とを含む）別の特殊サブフレームである。
【０１３８】
[0159]図１０に示された図１０００を参照すると、次に、ＥＣＣＡサブフレーム１０３０がより詳細に記載される。図１０は、ダウンリンク送信用のＥＣＣＡ１００５手順を記載するが、アップリンク送信用のＥＣＣＡ１００５手順は、いくつかの例では同様であり得る。ＥＣＣＡサブフレーム１０３０は、複数のＣＣＡ機会１０４０、１０４５を含む場合があり、それらの各々は２０マイクロ秒（μｓ）の長さであり得る。各ＣＣＡ機会１０４０、１０４５は、検出されたエネルギーが、（上述されたようにｅＳＩＢ内で通知され得る）８０ｄＢｍなどのＣＣＡエネルギーよりも小さい場合、成功したと見なされ得る。ＥＣＣＡ１００５全体は、成功したＣＣＡ機会１０４０の数がフレーム／サブフレーム固有ＥＣＣＡカウンタよりも大きい場合（成功したＣＣＡ機会は必ずしも連続である必要はない）、成功したと見なされ得る。より具体的には、一例では、フレーム／サブフレーム固有カウンタＮは、ＥＣＣＡ期間の始めに初期化され得るし、ＣＣＡの成功ごとに１だけ減分され得るし、ＥＣＣＡ１００５全体は、カウンタＮが０に達すると成功したと見なされる。いくつかの例では、基地局におけるＥＣＣＡ１００５手順は、ユニキャスト送信およびブロードキャスト送信について同一であり得る。
【０１３９】
[0160]図１０に示されたように、Ｄ−ＣＵＢＳ境界１０５０は、基地局（たとえば、ｅＮＢ）の間で共有された値（たとえば、Ｎ）に基づいて同期することができ、基地局のＥＣＣＡカウンタＮがＥＣＣＡ境界１０５５において０である場合、新しいＮが生成され得る。一般に、制御および／またはデータ送信は、１つまたは複数の基地局、ＵＥなどの同期に基づいて、サブフレーム境界（またはサブフレーム内のスロットの境界）と整合され得る。たとえば、免許不要無線周波数スペクトル帯域を介する送信は、無線フレームのサブフレーム境界または無線フレームのスロット境界のうちの少なくとも１つまで、ＥＣＣＡの成功後でも遅延され得る。しかしながら、ＥＣＣＡ１００５手順の間の基地局の動作は、ＵＥには見えず、ＵＥは、サブフレームの最終シンボルスロット内のＤ−ＣＵＢＳ１０３５の存在を想定することができるだけであり得る。
【０１４０】
[0161]図１０は、３つの異なるＥＣＣＡ１００５手順を示し、それらは、３つの異なる基地局に、３つの異なるＵＥに、または３つの異なる時間期間もしくは３つの異なるチャネルを介する同じ基地局／ＵＥのペアにも対応することができる。各ＣＣＡ機会に対するチェックマークは成功したＣＣＡ機会１０４０を表すが、Ｘは成功しなかったＣＣＡ機会１０４５を示す。図１０に示された１番目（上部）のＥＣＣＡ１００５では、Ｄ−ＣＵＢＳ境界１０５０の前の最終ＣＣＡは、ＥＣＣＡ全体が成功したと見なすために必要とされる最終カウントである。このインスタンスでは、ＥＣＣＡ１００５は成句したので、送信側（たとえば、基地局）は、ＣＵＢＳ境界１０５０においてＣＵＢＳの送信を開始することができる。
【０１４１】
[0162]図１０に示された２番目（中央）のＥＣＣＡ１００５では、ＥＣＣＡ１００５は、Ｄ−ＣＵＢＳ境界１０５０の前にクリアすることができる（すなわち、成功したＣＣＡ機会１０４０の数が満たされ得る）。このインスタンスでは、しかしながら、送信側は、同期するＤ−ＣＵＢＳ境界１０５０まで、またはＤ−ＣＵＢＳ境界１０５０の直前にアイドル状態に入ることができ、それにより、成功したＥＣＣＡの直後にＤ−ＣＵＢＳを送信することを控える。一例では、Ｄ−ＣＵＢＳ境界１０５０の直前に、１つの追加ＣＣＡ機会がＥＣＣＡサブフレームの最終ＣＣＡスロットにおいて初期化される場合がある。この追加ＣＣＡが成功した場合、送信側は、Ｄ−ＣＵＢＳ境界１０５０におけるＤ−ＣＵＢＳの送信に進むことができる。しかしながら、他の例では、最終ＣＣＡ機会は使用されない場合があり、アイドリング期間の後、送信側は、成功したＥＣＣＡプロセスに基づいてＤ−ＣＵＢＳを送信することができる。
【０１４２】
[0163]図１０に示された３番目（下部）のＥＣＣＡ１００５では、ＥＣＣＡ１００５は、Ｄ−ＣＵＢＳ境界１０５０によってクリアしない場合がある（すなわち、成功したと見なされない場合がある）。それにもかかわらず、ＣＣＡ機会は、潜在的な送信側がチャネルにアクセスするように試み続けることを可能にするために、Ｄ−ＣＵＢＳ境界１０５０の後、進み続けることができる。このインスタンスでは、Ｄ−ＣＵＢＳサブフレーム１０３５内でＤ−ＣＵＢＳは送信されないが、ＥＣＣＡ１００５プロセスは、それにもかかわらず、たとえば、個別の送信側がチャネルを放棄する場合、続けることができる。Ｄ−ＣＵＢＳ境界１０５０の後のいつか、ＥＣＣＡ１００５プロセスが成功したと見なされる場合、送信側は、そのとき、Ｄ−ＣＵＢＳを送信し、送信用チャネルの使用を開始することができる。
【０１４３】
[0164]図１１は、本開示の様々な態様による、無線フレーム１１０５のいくつかのサブフレームに関するより詳細な図１１００を示す。無線フレーム１１０５は、図９を参照して上述された無線フレーム９０５の態様の一例であり得る。より具体的には、図１１は、１つまたは複数の同期信号（たとえば、ｅＰＳＳ、ｅＳＳＳ、またはそれらの組合せ）およびｅＣＲＳ信号の周波数および時間における位置を示す。図８を参照して上述されたように、ｅＰＳＳ信号、ｅＳＳＳ信号、およびｅＣＲＳ信号は、８０ｍｓごとにＤ−ＣＥＴフレーム内のサブフレーム０内で送信され得る。加えて、これらの信号は、ＥＣＣＡの成功に基づいて非ＣＥＴサブフレームの間に日和見的に供給され得る、すなわち、それらは、図１０を参照して上述されたように、送信側がチャネルを取得することに成功した非ＣＥＴサブフレーム内で供給され得る。
【０１４４】
[0165]図１１に示されたように、一例では、ｅＰＳＳ、ｅＳＳＳ、およびｅＣＲＳは、サブフレーム０および５（ｍｏｄ１０）内で日和見的に供給される場合がある。各サブフレームは、１４個のＯＦＤＭシンボル１１１０を含む場合がある。より詳細には、図１１は、ｅＰＳＳがサブフレーム０および／または５（ｍｏｄ１０）のシンボル０の中の６個の中央のリソースブロック（ＲＢ）内で供給され、ｅＳＳＳがサブフレーム０および／または５（ｍｏｄ１０）のシンボル１の中の６個の中央のＲＢ内で供給され、いくつかの例では、ｅＰＳＳおよびｅＳＳＳがシンボル、スロット、および／または無線フレーム境界情報とともにＰＣＩを供給することを示す。図１１は、ｅＣＲＳが拡張物理ダウンリンク制御チャネル（ｅＰＤＣＣＨ）、拡張物理ダウンリンク共有チャネル（ｅＰＤＳＣＨ）、および拡張物理マルチキャストチャネル（ｅＰＭＣＨ）とともに、サブフレーム０および／または５（ｍｏｄ１０）のシンボル０、１、７、および８の中で供給され、いくつかの例では、これらの構成要素がそれらのシンボル１１１０内のコンポーネントキャリア全体に及び、ｅＣＲＳがＰＣＩ情報を供給することも示す。いくつかの例では、ｅＣＲＳは、システムフレーム番号（ＳＦＮ）のタイミングを暗黙的に示すことができ、その結果、ＵＥは、ｅＣＲＳのシーケンスの周期性に基づいてＳＦＮのタイミングを決定することができる。ｅＣＲＳのシーケンスは、いくつかの例では（たとえば、スタンドアロンモードでは）、８０ｍｓの周期性を有する場合があり、無線フレーム内のサブフレーム１〜４、６〜９においてパンクチャされる場合がある。サブフレームの他のＯＦＤＭシンボル１１１０（すなわち、シンボル２〜６および９〜１３）において、ｅＰＤＣＣＨ、ｅＰＤＳＣＨ、およびｅＰＭＣＨの情報は、コンポーネントキャリアを介して供給され得る。
【０１４５】
[0166]図１２は、本開示の様々な態様による、図９を参照して上述された無線フレームの間のＤ−ＣＵＢＳの送信に関するより詳細な図１２００を示す。図１２に示されたように、Ｄ−ＣＵＢＳ１２３５は、コンポーネントキャリアの全帯域幅を介して供給され得る。基地局（たとえば、ｅＮＢ）の観点から、Ｄ−ＣＵＢＳ１２３５は、時間的に可変の位置において、たとえば、ＥＣＣＡが成功するや否や、供給され得る。ＵＥの観点から、Ｄ−ＣＵＢＳは、候補のサブフレームのシンボル１３（すなわち、最終シンボル１２１０）において常に供給され得る。Ｄ−ＣＵＢＳのシーケンスは、セル固有ｅＣＲＳシーケンスに基づく場合があり、Ｄ−ＣＵＢＳは、変化する可能性がある無線フレーム内のＤＬ対ＵＬ比に関する情報を含む場合がある。代替として、この情報は、Ｄ−ＣＵＢＳ内に含まれない場合、Ｄ−ＣＵＢＳと同じシンボル１２１０内で供給される場合がある。いくつかの例では、ＵＥの実装形態は、チャネル状態情報（ＣＳＩ）、測定値などのためにＤ−ＣＵＢＳを使用できることにも留意されたい。
【０１４６】
[0167]まだ図１２を参照すると、いくつかの例では、ＵＥは、サブフレームまたはスロットの最終シンボル１２１０の間のＣＵＢＳの存在を、検出されたＣＵＢＳに基づいて次の（すなわち、後続の）サブフレームまたはスロット内でダウンリンクデータが送信されることを示すと解釈することができる。それに応じて、ＵＥは、最終シンボル１２１０内のＣＵＢＳを検出後、次のサブフレームまたはスロット内でダウンリンクデータを受信する準備をすることができる。ＵＥは、同じくまたは代替として、検出されたＣＵＢＳに基づいてＴＤＤ無線フレームのダウンリンク（ＤＬ）対アップリンク（ＵＬ）比を決定することができる−たとえば、ＤＬ対ＵＰ比は、いくつかの例では、無線フレーム内のサブフレームまたはスロットの位置に基づいて決定される場合がある。
【０１４７】
[0168]図１３は、本開示の様々な態様による、無線フレーム１３０５のいくつかのサブフレームの別のタイミング図を示す図１３００を示す。図１３に示されたように、ｅＰＤＣＣＨ１３２０、ｅＰＤＳＣＨ、およびｅＰＭＣＨは、１ｍｓのサブフレーム全体に及ぶ場合がある（ｅＣＲＳ、ｅＰＳＳ、およびｅＳＳＳは簡単のために図１３に示されていない）。いくつかの例では、復調に基づくＵＥ固有基準信号（ＵＥＲＳ）は、ｅＰＤＣＣＨ１３２０、ｅＰＤＳＣＨ、およびｅＰＭＣＨのために使用される場合がある。ＵＥＲＳパターンは、ｅＰＤＣＣＨおよびｅＰＤＳＣＨ用のＴＭ１０パターン上に構築され得るし、追加のトーンは、場合によってはＮｔ推定に使用される。
【０１４８】
[0169]図８〜図１３は、全体的に、ワイヤレス通信のダウンリンク部分用のプロセスを記載したが、記載された多くの概念は、ワイヤレス通信の対応するアップリンク部分にも適用可能であることが諒解されよう。たとえば、図８および図９を参照して記載されたＣＥＴ手順およびＥＣＣＡ手順は、アップリンク送信にも適用可能である。次に図１４を参照すると、アップリンクＣＥＴ（Ｕ−ＣＥＴ）１４１０サブフレームを示す図１４００を示す。Ｕ−ＣＥＴ１４１０は、たとえば、スケジューリング要求（ｅＳＲ）、サウンディング基準信号（ｅＳＲＳ）などを含む場合があり、物理アップリンク制御チャネル（ｅＰＵＣＣＨ）上、物理ランダムアクセスチャネル（ｅＰＲＡＣＨ）上などで送信され得る。いくつかの例では、Ｕ−ＣＥＴタイミングは、受信されたダウンリンクＣＥＴ（Ｄ−ＣＥＴ）１４０５のタイミングに基づく場合がある。たとえば、ＵＥは、Ｄ−ＣＥＴ１４０５を受信することができ、Ｄ−ＣＥＴ１４０５のタイミングを決定することができ、次いで、決定されたＤ−ＣＥＴ１４０５のタイミングに基づいてＵ−ＣＥＴ１４１０を送信することができる。Ｕ−ＣＥＴ１４１０のタイミングは、いくつかの例では、決定されたＤ−ＣＥＴ１４０５のタイミングに基づく場合があり（たとえば、Ｕ−ＣＥＴ１４１０のタイミングはＤ−ＣＥＴ１４０５とＵ−ＣＥＴ１４１０との間の固定オフセットに基づく場合があり）、ならびに／または、Ｄ−ＣＥＴ１４０５は、Ｕ−ＣＥＴ１４１０がいつ送信されるべきか、およびＵ−ＣＥＴ１４１０が従うべきフォーマットに関する情報を提供することができる。
【０１４９】
[0170]まだ図１４を参照すると、いくつかの例では、ＣＣＡが送信側によって要求されない場合があり、Ｕ−ＣＥＴ１４１０は、いかなるデータもなしに、制御および他のシグナリングのみを含む場合がある。図１４に示されたように、いくつかの例では、Ｕ−ＣＥＴ１４１０は、上述されたＤ−ＣＥＴ１４０５と同様に、関係するコンポーネントキャリアの全帯域幅に及ぶ場合がある。
【０１５０】
[0171]図１５は、図１４からのＵ−ＣＥＴ１４１０の１つの拡大されたインターレースの図１５００を示す。図１５に示されたように、インターレースのシンボル（１５０５）０は、ｅＳＲＳおよび／またはｅＳＲ用のリソース要素（ＲＥ）であり得るし、シンボル（１５０５）３および１０は、ｅＰＲＡＣＨおよび／またはｅＰＵＣＣＨ用の復調基準信号（ＤＭ−ＲＳ）ＲＥであり得るし、残りのシンボル１５０５は、ｅＰＲＡＣＨ、ｅＰＵＣＣＨ用のデータＲＥである。図１５は、Ｕ−ＣＥＴが１ｍｓの持続時間を有することができることも示す。
【０１５１】
[0172]いくつかの例では、まだ図１５を参照すると、ランダムアクセスメッセージ（たとえば、ＲＲＣ接続要求、ＲＲＣ再構成メッセージなど）は、ワイヤレスデバイス（たとえば、ＵＥ）によって生成され、Ｕ−ＣＥＴ１４１０の間の保証されたランダムアクセス送信機会において免許不要無線周波数スペクトル帯域を介して送信される場合がある。いくつかの例では、そのようなランダムアクセスメッセージは、ＵＥにセルアクセス用の機構を提供するために、スタンドアロンモードのみで（たとえば、キャリアアグリゲーションモードではなく）可能にされる場合がある。ランダムアクセスメッセージは、免許不要無線周波数スペクトル帯域に関連付けられたコンポーネントキャリアの全帯域幅に及ぶ場合がある、ランダムアクセスチャネル（たとえば、ｅＰＲＡＣＨ）を介して送信され得る。いくつかの例では、ランダムアクセスメッセージは、ランダムアクセスメッセージを送信するための１つまたは複数の受信されたアクセスパラメータに基づいて送信される場合がある。たとえば、パラメータは、（図８を参照して上述された）ｅＳＩＢ内で受信される場合があり、パラメータは、保証されたランダムアクセス送信機会を識別するパラメータ、日和見的なランダムアクセス送信機会を識別するパラメータなどのうちの１つまたは複数を含む。保証されたランダムアクセス送信機会は、無線フレーム０（ｍｏｄ８）内で利用可能であり得るし、日和見的なランダムアクセス送信は、上述されたＥＣＣＡ手順によって決定されたチャネルの利用可能性に基づいて、他のフレームまたはサブフレーム内で利用可能であり得る。
【０１５２】
[0173]図１６は、ランダムアクセスチャネルに対応する図１６００を示す。ランダムアクセスチャネルは、マルチクラスタ、ＳＣ−ＦＤＭＡ構造を有することができ、リソースブロック（ＲＢ）レベルはインターリーブされ、周波数において一様に離間している。各ｅＰＲＡＣＨは、インターレース１６０５または１０個のＲＢ１６１０に及ぶ場合がある。いくつかの例では、ＵＥは、免許不要無線周波数スペクトル帯域の複数の周波数領域インターレースのうちの１つを選択することができ、周波数領域インターレースの各々は、ランダムアクセスチャネル（たとえば、ｅＰＲＡＣＨ）に関連付けられる。インターレース１６０５の選択は、ランダムに行われ、および／または受信されたアクセスパラメータに基づく場合がある（たとえば、ｅＳＩＢは利用可能なｅＰＲＡＣＨインターレースを通知することができる）。ＵＥは、選択されたインターレース１６０５を介してランダムアクセスメッセージを送信することもでき、いくつかの例では、Ｕ−ＣＥＴサブフレームの間、または成功したＥＣＣＡ手順に続く非ＣＥＴフレームの間にそうすることができる。ランダムアクセスメッセージは、たとえば、ＲＲＣ接続要求、ＲＲＣ再構成要求などであり得る。
【０１５３】
[0174]次に図１７に示された図１７００を参照し、図９に示された無線フレーム９０５、および図１０に示されたＥＣＣＡサブフレーム１０３０を再び参照して、アップリンク送信用のＥＣＣＡ手順が次に記載される。上述されたように、アップリンク送信用のＥＣＣＡ手順は、全体的に、ダウンリンク送信用のＥＣＣＡ手順と同様である。たとえば、ダウンリンクＥＣＣＡ内のカウンタと同じである場合も、同じでない場合もあり、上述されたｅＳＩＢ内で通知され得る、フレーム／サブフレーム固有ＥＣＣＡカウンタＮが存在する場合がある。アップリンクＥＣＣＡ手順は、図１０を参照して上述されたように、エネルギーしきい値、ガード期間などを含む場合もある。しかしながら、図１７において、Ｕ−ＣＵＢＳ１７３５の送信は、いくつかの例では、（図１０の）Ｄ−ＣＵＢＳ１０３５の送信とは異なる場合がある。たとえば、図１７に示されたように、Ｕ−ＣＵＢＳ１７３５は、いくつかの例では、ｅＰＵＳＣＨまたはｅＰＵＣＣＨ用のスケジュールされたインターレース１７１０内でのみ送信され得るし、他のスケジュールされていないインターレース１７１５内では送信されない。さらに、場合によっては、スケジュールされたＵＥのみが、Ｕ−ＣＵＢＳ１７３５を送信することを許可され得るが、スケジュールされていないＵＥは、前の無線フレームからの保留中ＥＣＣＡの実施を続ける。
【０１５４】
[0175]図１８は、アップリンクＳＣ−ＦＤＭＡ送信において使用するための１つの拡大されたインターレース１８０５の図１８００を示す。図１８に示されたように、ｅＰＵＳＣＨおよび／またはｅＰＵＣＣＨ用のＤＭ−ＲＳのＲＥは、シンボル（１８１０）３および１０の間にインターレース１８０５の１２個のリソース要素すべてを介して送信され、ｅＰＵＳＣＨおよび／またはｅＰＵＣＣＨ用のデータＲＥは、他のシンボル１８１０の間に送信される。図１９は、アップリンクＯＦＤＭＡ送信において使用するための１つの拡大されたインターレース１９０５の図１９００を示す。図１９に示されたように、ｅＰＵＳＣＨ用のＤＭ−ＲＳのＲＥは、シンボル（１９１０）５〜６および１２〜１３の間に１２個のリソース要素のサブセットのみを介して送信され、データＲＥは、それらのシンボル１９１０の間に、および他のシンボル１９１０の間にも、リソース要素の残りを介して送信される。
【０１５５】
[0176]図１８と図１９の両方を参照すると、いくつかの例では、ＯＦＤＭＡは、より高い変調およびコーディング方式（ＭＣＳ）ならびにＭＩＭＯ−ＵＥ能力の故に、アップリンク送信に使用される場合がある。これらの例では、ダウンリンクおよりアップリンクの波形は対称的であり得る（すなわち、通信リンクのアップリンク送信モードは、通信リンクのダウンリンク送信モードに一致する場合がある）。ＯＦＤＭＡまたはＳＣ−ＦＤＭＡのどちらがアップリンク送信に使用されるべきかを決定するために、免許不要無線周波数スペクトル帯域を介する通信リンクに関連付けられた１組のチャネルパラメータは、識別され、１組のパラメータに基づく場合があり、送信側は、ＯＦＤＭＡ送信モードとＳＣ−ＦＤＭＡ送信モードとの間を選択することができる。たとえば、通信リンクがＭＩＭＯ用に構成されていることをパラメータが示す場合、ある特定のタイプの送信モード（たとえば、ＯＦＤＭＡ）が使用され得る。別の例として、通信リンク用の変調およびコーディング方式がしきい値よりも大きいことをパラメータが示す場合、ある特定のタイプの送信モード（たとえば、ＯＦＤＭＡ）が使用され得る。
【０１５６】
[0177]図２０は、本開示の様々な態様による、ワイヤレス通信のための方法を示すフローチャート２０００を示す。フローチャート２０００の機能は、図１、図２、図４、図５、および図３９を参照して記載される基地局１０５またはその構成要素によって実装され得る。いくつかの例では、フローチャート２０００のブロックは、図４、図５、および／または図３９を参照して記載されるコントローラモジュール４１０、５１０、および／または３９１０によって実施される場合がある。
【０１５７】
[0178]ブロック２００５において、基地局は、基地局に関する複数のパラメータを備えるシステム情報ブロックを生成することができ、パラメータは、少なくとも１つのＬＢＴパラメータと、少なくとも１つのセル識別子と、少なくとも１つの無線フレーム識別子とを備える。いくつかの例では、ブロック２００５の機能は、図５を参照して上述されたＳＩＢモジュール５５０によって実施される場合がある。
【０１５８】
[0179]ブロック２０１０において、基地局は、免許不要無線周波数スペクトル帯域を介してシステム情報ブロックを送信することができる。いくつかの例では、ブロック２０１０の機能は、図５を参照して上述されたＳＩＢモジュール５５０によって実施される場合がある。
【０１５９】
[0180]フローチャート２０００の方法は一実装形態にすぎないこと、ならびに本方法の動作、およびステップは、他の実装形態が可能であるように並べ替えられるか、または場合によっては修正され得ることに留意されたい。
【０１６０】
[0181]図２１は、本開示の様々な態様による、ワイヤレス通信のための方法を示すフローチャート２１００を示す。フローチャート２１００の機能は、図１、図２、図６、図７、および図４０を参照して記載されるＵＥ１１５またはその構成要素によって実装され得る。いくつかの例では、フローチャート２１００のブロックは、図６、図７、および／または図４０を参照して記載されるコントローラモジュール６１０、７１０、および／または４０１０によって実施される場合がある。
【０１６１】
[0182]ブロック２１０５において、ＵＥは、免許不要無線周波数スペクトル帯域を介してシステム情報ブロックを受信することができ、システム情報ブロックは基地局に関する複数のパラメータを備え、パラメータは、少なくとも１つのＬＢＴパラメータと、少なくとも１つのセル識別子と、少なくとも１つの無線フレーム識別子とを備える。いくつかの例では、ブロック２１０５の機能は、図７を参照して上述されたＳＩＢモジュール７５０によって実施される場合がある。
【０１６２】
[0183]フローチャート２１００の方法は一実装形態にすぎないこと、ならびに本方法の動作、およびステップは、他の実装形態が可能であるように並べ替えられるか、または場合によっては修正され得ることに留意されたい。
【０１６３】
[0184]図２２は、本開示の様々な態様による、ワイヤレス通信のための方法を示すフローチャート２２００を示す。フローチャート２２００の機能は、図１、図２、図４、図５、および図３９を参照して記載される基地局１０５またはその構成要素によって実装され得る。いくつかの例では、フローチャート２２００のブロックは、図４、図５、および／または図３９を参照して記載されるコントローラモジュール４１０、５１０、および／または３９１０によって実施される場合がある。
【０１６４】
[0185]ブロック２２０５において、基地局は、基地局に関する複数のパラメータを備えるシステム情報ブロックを生成することができる。いくつかの例では、ブロック２２０５の機能は、図５を参照して上述されたＳＩＢモジュール５５０によって実施される場合がある。
【０１６５】
[0186]ブロック２２１０において、基地局は、基地局に関連付けられたＣＥＴサブフレームの間の免許不要無線周波数スペクトル帯域を介してシステム情報ブロックを送信することができる。いくつかの例では、ブロック２２１０の機能は、図５を参照して上述されたＳＩＢモジュール５５０によって実施される場合がある。
【０１６６】
[0187]フローチャート２２００の方法は一実装形態にすぎないこと、ならびに本方法の動作、およびステップは、他の実装形態が可能であるように、並べ替えられるかまたは場合によっては修正され得ることに留意されたい。
【０１６７】
[0188]図２３は、本開示の様々な態様による、ワイヤレス通信のための方法を示すフローチャート２３００を示す。フローチャート２３００の機能は、図１、図２、図６、図７、および図４０を参照して記載されるＵＥ１１５またはその構成要素によって実装され得る。いくつかの例では、フローチャート２３００のブロックは、図６、図７、および／または図４０を参照して記載されるコントローラモジュール６１０、７１０、および／または４０１０によって実施される場合がある。
【０１６８】
[0189]ブロック２３０５において、ＵＥは、基地局に関する複数のパラメータを備えるシステム情報ブロックを受信することができ、システム情報ブロックは、基地局に関連付けられたＣＥＴサブフレームの間の免許不要無線周波数スペクトル帯域を介して受信される。いくつかの例では、ブロック２３０５の機能は、図７を参照して上述されたＳＩＢモジュール７５０によって実施される場合がある。
【０１６９】
[0190]フローチャート２３００の方法は一実装形態にすぎないこと、ならびに本方法の動作、およびステップは、他の実装形態が可能であるように、並べ替えられるかまたは場合によっては修正され得ることに留意されたい。
【０１７０】
[0191]図２４は、本開示の様々な態様による、ワイヤレス通信のための方法を示すフローチャート２４００を示す。フローチャート２４００の機能は、図１、図２、図４、図５、および図３９を参照して記載される基地局１０５またはその構成要素によって実装され得る。いくつかの例では、フローチャート２４００のブロックは、図４、図５、および／または図３９を参照して記載されるコントローラモジュール４１０、５１０、および／または３９１０によって実施される場合がある。
【０１７１】
[0192]ブロック２４０５において、基地局は、基地局に関する複数のパラメータを備えるシステム情報ブロックを生成することができ、システム情報ブロックは、免許不要無線周波数スペクトル帯域に関連付けられたコンポーネントキャリアの全帯域幅に及ぶ。いくつかの例では、ブロック２４０５の機能は、図５を参照して上述されたＳＩＢモジュール５５０によって実施される場合がある。
【０１７２】
[0193]ブロック２４１０において、基地局は、免許不要無線周波数スペクトル帯域を介してシステム情報ブロックを送信することができる。いくつかの例では、ブロック２４１０の機能は、図５を参照して上述されたＳＩＢモジュール５５０によって実施される場合がある。
【０１７３】
[0194]フローチャート２４００の方法は一実装形態にすぎないこと、ならびに本方法の動作、およびステップは、他の実装形態が可能であるように、並べ替えられるかまたは場合によっては修正され得ることに留意されたい。
【０１７４】
[0195]図２５は、本開示の様々な態様による、ワイヤレス通信のための方法を示すフローチャート２５００を示す。フローチャート２５００の機能は、図１、図２、図６、図７、および図４０を参照して記載されるＵＥ１１５またはその構成要素によって実装され得る。いくつかの例では、フローチャート２５００のブロックは、図６、図７、および／または図４０を参照して記載されるコントローラモジュール６１０、７１０、および／または４０１０によって実施される場合がある。
【０１７５】
[0196]ブロック２５０５において、ＵＥは、基地局に関する複数のパラメータを備えるシステム情報ブロックを受信することができ、システム情報ブロックは、免許不要無線周波数スペクトル帯域を介して受信され、システム情報ブロックの送信は、免許不要無線周波数スペクトル帯域に関連付けられたコンポーネントキャリアの全帯域幅に及ぶ。いくつかの例では、ブロック２５０５の機能は、図７を参照して上述されたＳＩＢモジュール７５０によって実施される場合がある。
【０１７６】
[0197]フローチャート２５００の方法は一実装形態にすぎないこと、ならびに本方法の動作、およびステップは、他の実装形態が可能であるように、並べ替えられるかまたは場合によっては修正され得ることに留意されたい。
【０１７７】
[0198]図２６は、本開示の様々な態様による、ワイヤレス通信のための方法を示すフローチャート２６００を示す。フローチャート２６００の機能は、図１、図２、図４、図５、および図３９を参照して記載される基地局１０５もしくはその構成要素によって、または図１、図２、図６、図７、および図４０を参照して記載されるＵＥ１１５もしくはその構成要素によって実装され得る。いくつかの例では、フローチャート２６００のブロックは、図４〜図７を参照して記載されるコントローラモジュール４１０、５１０、６１０、または７１０によって実施される場合がある。
【０１７８】
[0199]ブロック２６０５において、ワイヤレスデバイスは、免許不要無線周波数スペクトル帯域上でのＥＣＣＡの実施に成功した後、ＣＵＢＳ境界の前に、アイドル状態を維持することができる。いくつかの例では、ブロック２６０５の機能は、図５および図７を参照して上述されたＥＣＣＡモジュール５１５または７１５によって実施される場合がある。
【０１７９】
[0200]ブロック２６１０において、ワイヤレスデバイスは、ＣＵＢＳ境界の直前の免許不要無線周波数スペクトル帯域上で単一のＣＣＡを実施することができる。いくつかの例では、ブロック２６１０の機能は、図５および図７を参照して上述されたＥＣＣＡモジュール５１５または７１５によって実施される場合がある。
【０１８０】
[0201]ブロック２６１５において、ワイヤレスデバイスは、単一のＣＣＡが成功すると、ＣＵＢＳ境界においてＣＵＢＳを送信することができる。いくつかの例では、ブロック２６１５の機能は、図５および図７を参照して上述されたＥＣＣＡモジュール５１５または７１５によって実施される場合がある。
【０１８１】
[0202]フローチャート２６００の方法は一実装形態にすぎないこと、ならびに本方法の動作、およびステップは、他の実装形態が可能であるように、並べ替えられるかまたは場合によっては修正され得ることに留意されたい。
【０１８２】
[0203]図２７は、本開示の様々な態様による、ワイヤレス通信のための方法を示すフローチャート２７００を示す。フローチャート２７００の機能は、図１、図２、図４、図５、および図３９を参照して記載される基地局１０５もしくはその構成要素によって、または図１、図２、図６、図７、および図４０を参照して記載されるＵＥ１１５もしくはその構成要素によって実装され得る。いくつかの例では、フローチャート２７００のブロックは、図４〜図７、図３９、および図４０を参照して記載されるコントローラモジュール４１０、５１０、６１０、７１０、３９１０、または４０１０によって実施される場合がある。
【０１８３】
[0204]ブロック２７０５において、ワイヤレスデバイスは、免許不要無線周波数スペクトル帯域上でワイヤレスデバイスによって実施されたＥＣＣＡが、ＣＵＢＳ境界において成功しなかったと決定することができる。いくつかの例では、ブロック２７０５の機能は、図５および図７を参照して上述されたＥＣＣＡモジュール５１５または７１５によって実施される場合がある。
【０１８４】
[0205]ブロック２７１０において、ワイヤレスデバイスは、その決定に応答して、ＣＵＢＳ境界に続く免許不要無線周波数スペクトル帯域上でのＥＣＣＡの実施を続けることができる。いくつかの例では、ブロック２７１０の機能は、図５および図７を参照して上述されたＥＣＣＡモジュール５１５または７１５によって実施される場合がある。
【０１８５】
[0206]ブロック２７１５において、ワイヤレスデバイスは、ＥＣＣＡが成功すると、免許不要無線周波数スペクトル帯域を介して送信することができる。いくつかの例では、ブロック２７１５の機能は、図５および図７を参照して上述されたＥＣＣＡモジュール５１５または７１５によって実施される場合がある。
【０１８６】
[0207]フローチャート２７００の方法は一実装形態にすぎないこと、ならびに本方法の動作、およびステップは、他の実装形態が可能であるように、並べ替えられるかまたは場合によっては修正され得ることに留意されたい。
【０１８７】
[0208]図２８は、本開示の様々な態様による、ワイヤレス通信のための方法を示すフローチャート２８００を示す。フローチャート２８００の機能は、図１、図２、図４、図５、および図３９を参照して記載される基地局１０５もしくはその構成要素によって、または図１、図２、図６、図７、および図４０を参照して記載されるＵＥ１１５もしくはその構成要素によって実装され得る。いくつかの例では、フローチャート２８００のブロックは、図４〜図７、図３９、および図４０を参照して記載されるコントローラモジュール４１０、５１０、６１０、７１０、３９１０、または４０１０によって実施される場合がある。
【０１８８】
[0209]ブロック２８０５において、ワイヤレスデバイスは、無線フレーム識別子およびサブフレーム識別子に基づいて、ＥＣＣＡしきい値を決定することができる。いくつかの例では、ブロック２８０５の機能は、図５および図７を参照して上述されたＥＣＣＡモジュール５１５または７１５によって実施される場合がある。
【０１８９】
[0210]ブロック２８１０において、ワイヤレスデバイスは、免許不要無線周波数スペクトル帯域上でＥＣＣＡを実施することができ、ＥＣＣＡは複数のＣＣＡを備える。いくつかの例では、ブロック２８１０の機能は、図５および図７を参照して上述されたＥＣＣＡモジュール５１５または７１５によって実施される場合がある。少なくともいくつかのＣＣＡが成功した場合、ＥＣＣＡは成功であり得るし、ＣＣＡの数はＥＣＣＡしきい値に基づく。いくつかの例では、ブロック２８１５の機能は、図５および図７を参照して上述されたＥＣＣＡモジュール５１５または７１５によって実施される場合がある。
【０１９０】
[0211]フローチャート２８００の方法は一実装形態にすぎないこと、ならびに本方法の動作、およびステップは、他の実装形態が可能であるように、並べ替えられるかまたは場合によっては修正され得ることに留意されたい。
【０１９１】
[0212]図２９は、本開示の様々な態様による、ワイヤレス通信のための方法を示すフローチャート２９００を示す。フローチャート２９００の機能は、図１、図２、図４、図５、および図３９を参照して記載される基地局１０５もしくはその構成要素によって、または図１、図２、図６、図７、および図４０を参照して記載されるＵＥ１１５もしくはその構成要素によって実装され得る。いくつかの例では、フローチャート２９００のブロックは、図４〜図７、図３９、および図４０を参照して記載されるコントローラモジュール４１０、５１０、６１０、７１０、３９１０、または４０１０によって実施される場合がある。
【０１９２】
[0213]ブロック２９０５において、ワイヤレスデバイスは、免許不要無線周波数スペクトル帯域上でのＥＣＣＡの実施に成功することができる。いくつかの例では、ブロック２９０５の機能は、図５および図７を参照して上述されたＥＣＣＡモジュール５１５または７１５によって実施される場合がある。
【０１９３】
[0214]ブロック２９１０において、デバイスは、無線フレームのサブフレーム境界または無線フレームのスロット境界のうちの少なくとも１つまで、免許不要無線周波数スペクトル帯域を介する送信を遅延させることができる。いくつかの例では、ブロック２９１０の機能は、図５および図７を参照して上述されたＥＣＣＡモジュール５１５または７１５によって実施される場合がある。
【０１９４】
[0215]フローチャート２９００の方法は一実装形態にすぎないこと、ならびに本方法の動作、およびステップは、他の実装形態が可能であるように、並べ替えられるかまたは場合によっては修正され得ることに留意されたい。
【０１９５】
[0216]図３０は、本開示の様々な態様による、ワイヤレス通信のための方法を示すフローチャート３０００を示す。フローチャート３０００の機能は、図１、図２、図４、図５、および図３９を参照して記載される基地局１０５またはその構成要素によって実装され得る。いくつかの例では、フローチャート３０００のブロックは、図４、図５、および／または図３９を参照して記載されるコントローラモジュール４１０、５１０、および／または３９１０によって実施される場合がある。
【０１９６】
[0217]ブロック３００５において、基地局は、同期信号を生成することができる。いくつかの例では、ブロック３００５の機能は、図５を参照して上述された同期信号モジュール５２０によって実施される場合がある。
【０１９７】
[0218]ブロック３０１０において、基地局は、基地局に関連付けられたＣＥＴサブフレームの間の免許不要無線周波数スペクトル帯域を介して同期信号を送信することができる。いくつかの例では、ブロック３０１０の機能は、図５を参照して上述された同期信号モジュール５２０によって実施される場合がある。
【０１９８】
[0219]フローチャート３０００の方法は一実装形態にすぎないこと、ならびに本方法の動作、およびステップは、他の実装形態が可能であるように、並べ替えられるかまたは場合によっては修正され得ることに留意されたい。
【０１９９】
[0220]図３１は、本開示の様々な態様による、ワイヤレス通信のための方法を示すフローチャート３１００を示す。フローチャート３１００の機能は、図１、図２、図６、図７、および図４０を参照して記載されるＵＥ１１５またはその構成要素によって実装され得る。いくつかの例では、フローチャート３１００のブロックは、図６、図７、および／または図４０を参照して記載されるコントローラモジュール６１０、７１０、および／または４０１０によって実施される場合がある。
【０２００】
[0221]ブロック３１０５において、ＵＥは、基地局に関連付けられたＣＥＴサブフレームの間の免許不要無線周波数スペクトル帯域を介して同期信号を受信することができる。いくつかの例では、ブロック３１０５の機能は、図７を参照して上述された同期信号モジュール７２０によって実施される場合がある。
【０２０１】
[0222]フローチャート３１００の方法は一実装形態にすぎないこと、ならびに本方法の動作、およびステップは、他の実装形態が可能であるように、並べ替えられるかまたは場合によっては修正され得ることに留意されたい。
【０２０２】
[0223]図３２は、本開示の様々な態様による、ワイヤレス通信のための方法を示すフローチャート３２００を示す。フローチャート３２００の機能は、図１、図２、図４、図５、および図３９を参照して記載される基地局１０５またはその構成要素によって実装され得る。いくつかの例では、フローチャート３２００のブロックは、図４、図５、および／または図３９を参照して記載されるコントローラモジュール４１０、５１０、および／または３９１０によって実施される場合がある。
【０２０３】
[0224]ブロック３２０５において、基地局は、セル固有基準信号を生成することができる。いくつかの例では、ブロック３２０５の機能は、図５を参照して上述された基準信号モジュール５２５によって実施される場合がある。
【０２０４】
[0225]ブロック３２１０において、基地局は、基地局に関連付けられたＣＥＴサブフレームの間の免許不要無線周波数スペクトル帯域を介してセル固有基準信号を送信することができる。いくつかの例では、ブロック３２１０の機能は、図５を参照して上述された基準信号モジュール５２５によって実施される場合がある。
【０２０５】
[0226]フローチャート３２００の方法は一実装形態にすぎないこと、ならびに本方法の動作、およびステップは、他の実装形態が可能であるように、並べ替えられるかまたは場合によっては修正され得ることに留意されたい。
【０２０６】
[0227]図３３は、本開示の様々な態様による、ワイヤレス通信のための方法を示すフローチャート３３００を示す。フローチャート３３００の機能は、図１、図２、図６、図７、および図４０を参照して記載されるＵＥ１１５またはその構成要素によって実装され得る。いくつかの例では、フローチャート３３００のブロックは、図６、図７、および／または図４０を参照して記載されるコントローラモジュール６１０、７１０、および／または４０１０によって実施される場合がある。
【０２０７】
[0228]ブロック３３０５において、ＵＥは、基地局に関連付けられたＣＥＴサブフレームの間の免許不要無線周波数スペクトル帯域を介してセル固有基準信号を受信することができる。いくつかの例では、ブロック３３０５の機能は、図７を参照して上述された基準信号モジュール７２５によって実施される場合がある。
【０２０８】
[0229]フローチャート３３００の方法は一実装形態にすぎないこと、ならびに本方法の動作、およびステップは、他の実装形態が可能であるように、並べ替えられるかまたは場合によっては修正され得ることに留意されたい。
【０２０９】
[0230]図３４は、本開示の様々な態様による、ワイヤレス通信のための方法を示すフローチャート３４００を示す。フローチャート３４００の機能は、図１、図２、図６、図７、および図４０を参照して記載されるＵＥ１１５またはその構成要素によって実装され得る。いくつかの例では、フローチャート３４００のブロックは、図６、図７、および／または図４０を参照して記載されるコントローラモジュール６１０、７１０、および／または４０１０によって実施される場合がある。
【０２１０】
[0231]ブロック３４０５において、ＵＥは、サブフレームまたはスロットの最終シンボルの間の免許不要無線周波数スペクトル帯域上でダウンリンクＣＵＢＳを検出することができる。いくつかの例では、ブロック３４０５の機能は、図７を参照して上述されたＤ＿ＣＵＢＳモジュール７３０によって実施される場合がある。
【０２１１】
[0232]ブロック３４１０において、ＵＥは、検出されたＣＵＢＳに基づいて、次のサブフレームまたはスロット内でダウンリンクデータが送信されると決定することができる。いくつかの例では、ブロック３４１０の機能は、図７を参照して上述されたＤ＿ＣＵＢＳモジュール７３０によって実施される場合がある。
【０２１２】
[0233]ブロック３４１５において、ＵＥは、次のサブフレームまたはスロット内でダウンリンクデータを受信することができる。いくつかの例では、ブロック３４１５の機能は、図７を参照して上述されたＤ＿ＣＵＢＳモジュール７３０および／または受信機６０５によって実施される場合がある。
【０２１３】
[0234]フローチャート３４００の方法は一実装形態にすぎないこと、ならびに本方法の動作、およびステップは、他の実装形態が可能であるように、並べ替えられるかまたは場合によっては修正され得ることに留意されたい。
【０２１４】
[0235]図３５は、本開示の様々な態様による、ワイヤレス通信のための方法を示すフローチャート３５００を示す。フローチャート３５００の機能は、図１、図２、図６、図７、および図４０を参照して記載されるＵＥ１１５またはその構成要素によって実装され得る。いくつかの例では、フローチャート３５００のブロックは、図６、図７、および／または図４０を参照して記載されるコントローラモジュール６１０、７１０、および／または４０１０によって実施される場合がある。
【０２１５】
[0236]ブロック３５０５において、ＵＥは、免許不要無線周波数スペクトル帯域を介してダウンリンクＣＥＴを受信することができる。いくつかの例では、ブロック３５０５の機能は、図７を参照して上述されたアップリンクＣＥＴタイミングモジュール７３５および／または受信機６０５によって実施される場合がある。
【０２１６】
[0237]ブロック３５１０において、ＵＥは、ダウンリンクＣＥＴのタイミングを決定することができる。いくつかの例では、ブロック３５１０の機能は、図７を参照して上述されたアップリンクＣＥＴタイミングモジュール７３５によって実施される場合がある。
【０２１７】
[0238]ブロック３５１５において、ＵＥは、決定されたダウンリンクＣＥＴのタイミングに従って、アップリンクＣＥＴを送信することができる。いくつかの例では、ブロック３５１５の機能は、図７を参照して上述されたアップリンクＣＥＴタイミングモジュール７３５および／または送信機６１５によって実施される場合がある。
【０２１８】
[0239]フローチャート３５００の方法は一実装形態にすぎないこと、ならびに本方法の動作、およびステップは、他の実装形態が可能であるように、並べ替えられるかまたは場合によっては修正され得ることに留意されたい。
【０２１９】
[0240]図３６は、本開示の様々な態様による、ワイヤレス通信のための方法を示すフローチャート３６００を示す。フローチャート３６００の機能は、図１、図２、図４、図５、および図３９を参照して記載される基地局１０５もしくはその構成要素によって、または図１、図２、図６、図７、および図４０を参照して記載されるＵＥ１１５もしくはその構成要素によって実装され得る。いくつかの例では、フローチャート３６００のブロックは、図４〜図７、図３９、および図４０を参照して記載されるコントローラモジュール４１０、５１０、６１０、７１０、３９１０、または４０１０によって実施される場合がある。
【０２２０】
[0241]ブロック３６０５において、ワイヤレスデバイスは、ランダムアクセスメッセージを生成することができる。いくつかの例では、ブロック３６０５の機能は、図５および図７を参照して上述されたランダムアクセスモジュール５３０または７４０によって実施される場合がある。
【０２２１】
[0242]ブロック３６１０において、ワイヤレスデバイスは、ＣＥＴの間の保証されたランダムアクセス送信機会において、免許不要無線周波数スペクトル帯域を介してランダムアクセスメッセージを送信することができる。いくつかの例では、ブロック３６１０の機能は、図５および図７を参照して上述されたランダムアクセスモジュール５３０または７４０によって実施される場合がある。
【０２２２】
[0243]フローチャート３６００の方法は一実装形態にすぎないこと、ならびに本方法の動作、およびステップは、他の実装形態が可能であるように、並べ替えられるかまたは場合によっては修正され得ることに留意されたい。
【０２２３】
[0244]図３７は、本開示の様々な態様による、ワイヤレス通信のための方法を示すフローチャート３７００を示す。フローチャート３７００の機能は、図１、図２、図４、図５、および図３９を参照して記載される基地局１０５もしくはその構成要素によって、または図１、図２、図６、図７、および図４０を参照して記載されるＵＥ１１５もしくはその構成要素によって実装され得る。いくつかの例では、フローチャート３７００のブロックは、図４〜図７、図３９、および図４０を参照して記載されるコントローラモジュール４１０、５１０、６１０、７１０、３９１０、または４０１０によって実施される場合がある。
【０２２４】
[0245]ブロック３７０５において、デバイスは、免許不要無線周波数スペクトル帯域の複数の周波数領域インターレースのうちの１つを選択することができ、周波数領域インターレースの各々は、ランダムアクセスチャネルに関連付けられる。いくつかの例では、ブロック３７０５の機能は、図５および図７を参照して上述されたランダムアクセスモジュール５３０または７４０によって実施される場合がある。
【０２２５】
[0246]ブロック３７１０において、デバイスは、免許不要無線周波数スペクトル帯域の選択された周波数領域インターレースを介して、ランダムアクセスメッセージを送信することができる。いくつかの例では、ブロック３７１０の機能は、図５および図７を参照して上述されたランダムアクセスモジュール５３０または７４０によって実施される場合がある。
【０２２６】
[0247]フローチャート３７００の方法は一実装形態にすぎないこと、ならびに本方法の動作、およびステップは、他の実装形態が可能であるように、並べ替えられるかまたは場合によっては修正され得ることに留意されたい。
【０２２７】
[0248]図３８は、本開示の様々な態様による、ワイヤレス通信のための方法を示すフローチャート３８００を示す。フローチャート３８００の機能は、図１、図２、図６、図７、および図４０を参照して記載されるＵＥ１１５またはその構成要素によって実装され得る。いくつかの例では、フローチャート３８００のブロックは、図６、図７、および／または図４０を参照して記載されるコントローラモジュール６１０、７１０、および／または４０１０によって実施される場合がある。
【０２２８】
[0249]ブロック３８０５において、デバイスは、免許不要無線周波数スペクトル帯域を介する通信リンクに関連付けられた１組のチャネルパラメータを識別することができる。いくつかの例では、ブロック３８０５の機能は、図７を参照して上述されたアップリンク送信モードモジュール７４５によって実施される場合がある。
【０２２９】
[0250]ブロック３８１０において、デバイスは、１組のチャネルパラメータに基づいて、ＯＦＤＭ送信モードとＳＣ−ＦＤＭＡ送信モードとの間を選択することができる。いくつかの例では、ブロック３８１０の機能は、図７を参照して上述されたアップリンク送信モードモジュール７４５によって実施される場合がある。
【０２３０】
[0251]ブロック３８１５において、デバイスは、選択された送信モードに従って、免許不要無線周波数スペクトル帯域を介して送信することができる。いくつかの例では、ブロック３８１５の機能は、図７を参照して上述されたアップリンク送信モードモジュール７４５によって実施される場合がある。
【０２３１】
[0252]フローチャート３８００の方法は一実装形態にすぎないこと、ならびに本方法の動作、およびステップは、他の実装形態が可能であるように、並べ替えられるかまたは場合によっては修正され得ることに留意されたい。
【０２３２】
[0253]図３９は、本開示の様々な態様による、ワイヤレス通信において使用するためのシステム３９００の図を示す。システム３９００は、上述された基地局１０５の例であり得る、基地局１０５−ｄ、３９０５−ａ−１、３９０５−ａ−２を含む。システム３９００は、上述されたＵＥ１１５の一例であり得る、ＵＥ１１５−ｄも含む。
【０２３３】
[0254]基地局１０５−ｄは、アンテナ３９４５と、トランシーバモジュール３９５０と、メモリ３９８０と、プロセッサモジュール３９７０とを含む場合があり、それらの各々は、（たとえば、１つまたは複数のバスを介して）互いに、直接的または間接的に通信中であり得る。トランシーバモジュール３９５０は、ＵＥ１１５−ｄならびに（図３９には示されていない）他のＵＥと、アンテナ３９４５を介して双方向に通信するように構成され得る。トランシーバモジュール３９５０（および／または基地局１０５−ｄの他の構成要素）はまた、１つまたは複数のネットワークと双方向に通信するように構成され得る。場合によっては、基地局１０５−ｄは、ネットワーク通信モジュール３９７５を介してコアネットワーク１３０−ａおよび／またはコントローラ３９２０と通信することができる。基地局１０５−ｄは、ｅノードＢ基地局、ホームｅノードＢ基地局、ノードＢ基地局、および／またはホームノードＢ基地局の一例であり得る。コントローラ３９２０は、基地局１０５−ｄの中に、場合によってはｅノードＢ基地局などと統合され得る。
【０２３４】
[0255]基地局１０５−ｄはまた、基地局３９０５−ａ−１および基地局３９０５−ａ−２などの他の基地局１０５と通信することができる。基地局１０５−ｄ、３９０５−ａ−１、３９０５−ａ−２の各々は、様々な無線アクセス技術などの様々なワイヤレス通信技術を使用して、１つまたは複数のＵＥと通信することができる。場合によっては、基地局１０５−ｄは、基地局通信モジュール３９６５を利用して、３９０５−ａ−１および／または３９０５−ａ−２などの他の基地局と通信することができる。いくつかの例では、基地局通信モジュール３９６５は、基地局１０５−ｄ、３９０５−ａ−１、３９０５−ａ−２のうちのいくつかの間の通信を実現するために、ＬＴＥワイヤレス通信技術内のＸ２インターフェースを提供することができる。いくつかの例では、基地局１０５−ｄは、コントローラ３９２０および／またはコアネットワーク１３０−ｂを介して、他の基地局と通信することができる。
【０２３５】
[0256]メモリ３９８０には、ランダムアクセスメモリ（ＲＡＭ）および読取り専用メモリ（ＲＯＭ）が含まれ得る。メモリ３９８０はまた、実行されると、本明細書に記載された様々な機能（たとえば、呼処理、データベース管理、メッセージルーティングなど）をプロセッサモジュール３９７０に実施させるように構成された命令を含んでいる、コンピュータ可読、コンピュータ実行可能ソフトウェア（ＳＷ）コード３９８５を記憶することができる。代替として、ソフトウェアコード３９８５は、プロセッサモジュール３９７０によって直接実行可能でない場合があるが、たとえば、コンパイルされ実行されると、本明細書に記載された機能をコンピュータに実施させるように構成される場合がある。
【０２３６】
[0257]プロセッサモジュール３９７０には、インテリジェントハードウェアデバイス、たとえば、中央処理装置（ＣＰＵ）、マイクロコントローラ、ＡＳＩＣなどが含まれ得る。トランシーバモジュール３９５０は、パケットを変調し、変調されたパケットを送信用にアンテナ３９４５に供給し、アンテナ３９４５から受信されたパケットを復調するように構成されたモデムを含む場合がある。基地局１０５−ｄのいくつかの例は単一のアンテナ３９４５を含む場合があるが、基地局１０５−ｄの他の例は、キャリアアグリゲーションをサポートすることができる複数のリンク用の複数のアンテナ３９４５を含む。たとえば、ＵＥ１１５とのマクロ通信をサポートするために、１つまたは複数のリンクが使用され得る。
【０２３７】
[0258]図３９のアーキテクチャによれば、基地局１０５−ｄは、通信管理モジュール３９６０をさらに含む場合がある。通信管理モジュール３９６０は、他の基地局１０５との通信を管理することができる。例として、通信管理モジュール３９６０は、バスを介して基地局１０５−ｄの他の構成要素の一部またはすべてと通信している基地局１０５−ｄの構成要素であり得る。代替として、通信管理モジュール３９６０の機能は、トランシーバモジュール３９５０の構成要素として、コンピュータプログラム製品として、および／またはプロセッサモジュール３９７０の１つもしくは複数のコントローラ要素として実装される場合がある。
【０２３８】
[0259]図３９の基地局１０５−ｄはコントローラモジュール３９１０も含み、コントローラモジュール３９１０は、図５を参照して記載されたサブモジュール５０５、５１５、５２０、５２５、５３０、５５０を含む、図４および図５を参照して上述されたコントローラモジュール４１０、５１０の一例であり得るし、ならびに／または、それらの機能の一部もしくはすべてを実装することができる。
【０２３９】
[0260]図４０は、本開示の様々な態様による、ワイヤレス通信において使用するためのシステム４０００の図を示す。システム４０００は、上述されたＵＥ１１５の一例であり得る、ＵＥ１１５−ｅを含む。システム４０００は、上述された基地局１０５の一例であり得る、基地局１０５−ｅも含む。
【０２４０】
[0261]図４０に示されたＵＥ１１５−ｅは、アンテナ４０４０と、トランシーバモジュール４０３５と、プロセッサモジュール４００５と、（ソフトウェア（ＳＷ）４０２０を含む）メモリ４０１５とを含む場合があり、それらの各々は、（たとえば、１つまたは複数のバス４０４５を介して）互いに、直接的または間接的に通信することができる。トランシーバモジュール４０３５は、上述されたように、アンテナ４０４０および／または１つもしくは複数のワイヤレス通信リンクを介して、１つもしくは複数の基地局１０５−ｅ、１つもしくは複数のＷＬＡＮアクセスポイント、または他のノードと、双方向に通信するように構成され得る。トランシーバモジュール４０３５は、パケットを変調し、変調されたパケットを送信用にアンテナ４０４０に供給し、アンテナ４０４０から受信されたパケットを復調するように構成されたモデムを含む場合がある。ＵＥ１１５−ｅは、いくつかの例では単一のアンテナ４０４０を含む場合があるが、ＵＥ１１５−ｅは、代替として、複数のワイヤレス送信を同時に送信および／または受信することが可能な複数のアンテナ４０４０を有する場合がある。トランシーバモジュール４０３５は、したがって、１つもしくは複数の基地局１０５−ｅおよび／または１つもしくは複数の他のアクセスポイントと同時に通信することが可能であり得る。
【０２４１】
[0262]メモリ４０１５には、ＲＡＭおよび／またはＲＯＭが含まれ得る。メモリ４０１５は、実行されると、本明細書に記載された様々な機能を実施する（たとえば、オフローディングの決定を行う、および／または実行する）ことをプロセッサモジュール４００５に行わせるように構成された命令を含んでいる、コンピュータ可読、コンピュータ実行可能ソフトウェア／ファームウェアコード４０２０を記憶することができる。代替として、ソフトウェア／ファームウェアコード４０２０は、プロセッサモジュール４００５によって直接実行可能でない場合があるが、（たとえば、コンパイルされ実行されると）本明細書に記載された機能をコンピュータに実施させるように構成される場合がある。プロセッサモジュール４００５には、インテリジェントハードウェアデバイス、たとえば、ＣＰＵ、マイクロコントローラ、ＡＳＩＣなどが含まれ得、ＲＡＭおよびＲＯＭが含まれ得る。
【０２４２】
[0263]ＵＥ１１５−ｅはコントローラモジュール４０１０も含み、コントローラモジュール４０１０は、図７を参照して記載されたサブモジュール７０５、７１５、７２０、７２５、７３０、７３５、７４０、７４５、７５０を含む、図６および図７を参照して上述されたコントローラモジュール６１０、７１０の一例であり得るし、ならびに／または、それらの機能の一部もしくはすべてを実装することができる。
【０２４３】
[0264]添付の図面とともに上記に記載された発明を実施するための形態は、例を記載しており、実装され得るか、または特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、記載される技法の理解をもたらすための具体的な詳細を含む。しかしながら、これらの技法は、これらの具体的な詳細なしに実践され得る。場合によっては、記載される例の概念を不明瞭にすることを回避するために、よく知られている構造および装置がブロック図の形態で示されている。
【０２４４】
[0265]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２４５】
[0266]本明細書の開示とともに記載された様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書に記載された機能を実施するように設計されたそれらの任意の組合せを用いて、実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成として実装され得る。
【０２４６】
[0267]本明細書に記載された機能は、ハードウェア、プロセッサによって実行されるソフトウェア、ファームウェア、またはそれらの任意の組合せに実装され得る。プロセッサによって実行されるソフトウェアに実装される場合、機能は、１つまたは複数の命令またはコードとして、非一時的コンピュータ可読媒体に記憶されるか、または非一時的コンピュータ可読媒体を介して送信され得る。他の例および実装形態は、本開示および添付の特許請求の範囲および趣旨の中にある。たとえば、ソフトウェアの性質に起因して、上述された機能は、プロセッサ、ハードウェア、ファームウェア、ハードワイヤリング、またはこれらのいずれかの組合せによって実行されるソフトウェアを使用して実装され得る。機能を実装する特徴はまた、様々な物理的な位置において機能の部分が実装されるように分散されることを含めて、様々な位置に物理的に配置され得る。また、特許請求の範囲を含めて、本明細書で使用される場合、「のうちの少なくとも１つ」で終わる項目の列挙において使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２４７】
[0268]コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータまたは専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは、命令またはデータ構造の形態の所望のプログラムコード手段を搬送または記憶するために使用され得るし、汎用コンピュータもしくは専用コンピュータ、または汎用プロセッサもしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ（disc）、レーザディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザで光学的に再生する。上記の組合せも、コンピュータ可読媒体の範囲内に含まれる。
【０２４８】
[0269]本明細書に記載された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装することができる。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書に記載された技法は、上述されたシステムおよび無線技術、ならびに他のシステムおよび無線技術に使用され得る。しかしながら、下記の説明は、例としてＬＴＥシステムを記載し、下記の説明の大部分においてＬＴＥ用語が使用されるが、本技法はＬＴＥの適用例以外に適用可能である。
【０２４９】
[0270]本開示の前の説明は、当業者が本開示を作成または使用することが可能になるように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、例または事例を示すものであり、言及された例についてのいかなる選好も暗示または要求しない。したがって、本開示は、本明細書に記載された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
基地局に関する複数のパラメータを備えるシステム情報ブロックを生成することと、ここにおいて、前記複数のパラメータが、少なくとも１つのリッスンビフォアトーク（ＬＢＴ）パラメータと、少なくとも１つのセル識別子と、少なくとも１つの無線フレーム識別子とを備える、
免許不要無線周波数スペクトル帯域を介して前記システム情報ブロックを送信することと
を備える、ワイヤレス通信のための方法。
［Ｃ２］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して送信される、Ｃ１に記載の方法。
［Ｃ３］
前記ＣＥＴサブフレームが周期的であり、前記システム情報ブロックを送信することが、
前記ＣＥＴの各インスタンスにおいて前記システム情報ブロックを送信すること
を備える、Ｃ２に記載の方法。
［Ｃ４］
日和見的なシステム情報ブロック送信に関連付けられた非ＣＥＴサブフレームより前にＣＣＡを実施することと、
前記ＣＣＡが成功すると、前記非ＣＥＴサブフレーム上で前記システム情報ブロックを送信することと
をさらに備える、Ｃ２に記載の方法。
［Ｃ５］
前記少なくとも１つのＬＢＴパラメータを動的に修正することと、
次のＣＥＴサブフレームにおいて前記システム情報ブロックの更新バージョンを送信することと
をさらに備える、Ｃ２に記載の方法。
［Ｃ６］
様々な時間間隔で前記システム情報ブロックの様々な冗長バージョンを送信することをさらに備える、Ｃ４に記載の方法。
［Ｃ７］
前記少なくとも１つのセル識別子が、物理セル識別子（ＰＩＤ）、事業者識別子、セルグローバル識別子（ＣＧＩ）、およびそれらの組合せから構成されるグループから選択される、Ｃ１に記載の方法。
［Ｃ８］
前記少なくとも１つのＬＢＴパラメータが、拡張ＣＣＡ（ＥＣＣＡ）カウンタパラメータ、ＣＣＡエネルギーしきい値、基地局再同期用のガード期間、およびそれらの組合せから構成されるグループから選択される、Ｃ１に記載の方法。
［Ｃ９］
前記少なくとも１つの無線フレーム識別子が、システムフレーム番号（ＳＦＮ）を備える、Ｃ１に記載の方法。
［Ｃ１０］
前記基地局におけるＥＣＣＡ手順が、ユニキャスト送信およびブロードキャスト送信について同一である、Ｃ８に記載の方法。
［Ｃ１１］
前記システム情報ブロックが、前記免許不要無線周波数スペクトル帯域に関連付けられたコンポーネントキャリアの全帯域幅に及ぶ、Ｃ１に記載の方法。
［Ｃ１２］
免許不要無線周波数スペクトル帯域を介してシステム情報ブロックを受信すること
を備え、
前記システム情報ブロックが、基地局に関する複数のパラメータを備え、前記複数のパラメータが、少なくとも１つのリッスンビフォアトーク（ＬＢＴ）パラメータと、少なくとも１つのセル識別子と、少なくとも１つの無線フレーム識別子とを備える、
ワイヤレス通信のための方法。
［Ｃ１３］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して受信される、Ｃ１２に記載の方法。
［Ｃ１４］
前記システム情報ブロック内で受信された前記少なくとも１つのＬＢＴパラメータに基づいて、ＬＢＴ動作を調整すること
をさらに備える、Ｃ１２に記載の方法。
［Ｃ１５］
様々な時間間隔で前記システム情報ブロックの様々な冗長バージョンを受信することをさらに備える、Ｃ１２に記載の方法。
［Ｃ１６］
前記少なくとも１つのセル識別子が、物理セル識別子（ＰＩＤ）、事業者識別子、セルグローバル識別子（ＣＧＩ）、およびそれらの組合せから構成されるグループから選択される、Ｃ１２に記載の方法。
［Ｃ１７］
前記少なくとも１つのＬＢＴパラメータが、拡張ＣＣＡ（ＥＣＣＡ）カウンタパラメータ、ＣＣＡエネルギーしきい値、基地局再同期用のガード期間、およびそれらの組合せから構成されるグループから選択される、Ｃ１２に記載の方法。
［Ｃ１８］
前記少なくとも１つの無線フレーム識別子が、システムフレーム番号（ＳＦＮ）を備える、Ｃ１２に記載の方法。
［Ｃ１９］
前記システム情報ブロックが、前記免許不要無線周波数スペクトル帯域に関連付けられたコンポーネントキャリアの全帯域幅に及ぶ、Ｃ１２に記載の方法。
［Ｃ２０］
基地局に関する複数のパラメータを備えるシステム情報ブロックを生成するための手段と、ここにおいて、前記複数のパラメータが、少なくとも１つのリッスンビフォアトーク（ＬＢＴ）パラメータと、少なくとも１つのセル識別子と、少なくとも１つの無線フレーム識別子とを備える、
免許不要無線周波数スペクトル帯域を介して前記システム情報ブロックを送信するための手段と
を備える、ワイヤレス通信のための装置。
［Ｃ２１］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して送信される、Ｃ２０に記載の装置。
［Ｃ２２］
前記ＣＥＴサブフレームが周期的であり、前記システム情報ブロックを送信するように構成された前記プロセッサが、
前記ＣＥＴの各インスタンスにおいて前記システム情報ブロックを送信すること
を行うように構成された前記プロセッサを備える、Ｃ２１に記載の装置。
［Ｃ２３］
日和見的なシステム情報ブロック送信に関連付けられた非ＣＥＴサブフレームより前にＣＣＡを実施するための手段と、
前記ＣＣＡが成功すると、前記非ＣＥＴサブフレーム上で前記システム情報ブロックを送信するための手段と
をさらに備える、Ｃ２１に記載の装置。
［Ｃ２４］
前記少なくとも１つのＬＢＴパラメータを動的に修正するための手段と、
次のＣＥＴサブフレームにおいて前記システム情報ブロックの更新バージョンを送信するための手段と
をさらに備える、Ｃ２１に記載の装置。
［Ｃ２５］
前記少なくとも１つのセル識別子が、物理セル識別子（ＰＩＤ）、事業者識別子、セルグローバル識別子（ＣＧＩ）、およびそれらの組合せから構成されるグループから選択される、Ｃ２０に記載の装置。
［Ｃ２６］
前記少なくとも１つのＬＢＴパラメータが、拡張クリアチャネルアセスメント（ＥＣＣＡ）カウンタパラメータ、ＣＣＡエネルギーしきい値、基地局再同期用のガード期間、およびそれらの組合せから構成されるグループから選択される、Ｃ２０に記載の装置。
［Ｃ２７］
免許不要無線周波数スペクトル帯域を介してシステム情報ブロックを受信するための手段
を備え、
前記システム情報ブロックが、基地局に関する複数のパラメータを備え、前記複数のパラメータが、少なくとも１つのリッスンビフォアトーク（ＬＢＴ）パラメータと、少なくとも１つのセル識別子と、少なくとも１つの無線フレーム識別子とを備える、
ワイヤレス通信のための装置。
［Ｃ２８］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して受信される、Ｃ２７に記載の装置。
［Ｃ２９］
前記システム情報ブロック内で受信された前記少なくとも１つのＬＢＴパラメータに基づいて、ＬＢＴ動作を調整するための手段
をさらに備える、Ｃ２８に記載の装置。
［Ｃ３０］
様々な時間間隔で前記システム情報ブロックの様々な冗長バージョンを受信するための手段
をさらに備える、Ｃ２９に記載の装置。
【図１】
0006388966.tif 000002
【図２】
0006388966.tif 000003
【図３】
0006388966.tif 000004
【図４】
0006388966.tif 000005
【図５】
0006388966.tif 000006
【図６】
0006388966.tif 000007
【図７】
0006388966.tif 000008
【図８】
0006388966.tif 000009
【図９】
0006388966.tif 000010
【図１０】
0006388966.tif 000011
【図１１】
0006388966.tif 000012
【図１２】
0006388966.tif 000013
【図１３】
0006388966.tif 000014
【図１４】
0006388966.tif 000015
【図１５】
0006388966.tif 000016
【図１６】
0006388966.tif 000017
【図１７】
0006388966.tif 000018
【図１８】
0006388966.tif 000019
【図１９】
0006388966.tif 000020
【図２０】
0006388966.tif 000021
【図２１】
0006388966.tif 000022
【図２２】
0006388966.tif 000023
【図２３】
0006388966.tif 000024
【図２４】
0006388966.tif 000025
【図２５】
0006388966.tif 000026
【図２６】
0006388966.tif 000027
【図２７】
0006388966.tif 000028
【図２８】
0006388966.tif 000029
【図２９】
0006388966.tif 000030
【図３０】
0006388966.tif 000031
【図３１】
0006388966.tif 000032
【図３２】
0006388966.tif 000033
【図３３】
0006388966.tif 000034
【図３４】
0006388966.tif 000035
【図３５】
0006388966.tif 000036
【図３６】
0006388966.tif 000037
【図３７】
0006388966.tif 000038
【図３８】
0006388966.tif 000039
【図３９】
0006388966.tif 000040
【図４０】
0006388966.tif 000041